(57)【要約】  デジタル放送を受信する受信装置の電源投入動作において、ネットワーク経由で取得したダウンロードアプリケーションのペアレンタルコントロール機能を設定するためのＰＩＮ情報が設定されており、電源投入から所定時間経過後までの期間であって、ダウンロードアプリケーションが受信できるまでの期間においては、映像出力をオフ状態とし、電源投入から所定時間経過後までの期間において、ダウンロードアプリケーションを受信したとき、当該ダウンロードアプリケーションを実行し、そして、電源投入から所定時間経過後までの期間において、ダウンロードアプリケーションを受信しないとき、ＰＩＮ情報の設定の解除を行う。
2009019828.tif 000002
【特許請求の範囲】
【請求項１】
デジタル放送を受信する受信装置であって、
ネットワーク経由で取得したペアレンタルコントロール機能を有するダウンロードアプリケーション及び当該受信装置に内蔵された内蔵アプリケーションが格納される記憶部、
前記ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入から所定時間経過後までの期間であって、ダウンロードアプリケーションが受信できるまでの内蔵アプリケーションによる動作中の期間においては、映像出力をオフ状態とする表示制御部、および
ペアレンタルコントロール機能を設定したＰＩＮ情報が前記ＰＩＮ情報保持部に保持されている場合、電源投入から所定時間経過後までにおいて、ダウンロードアプリケーションが受信できないとき、前記ＰＩＮ情報保持部に保持されていたＰＩＮ情報の設定を解除するＰＩＮ情報設定解除部、
を備えた受信装置。
【請求項２】
ペアレンタルコントロール機能を設定したＰＩＮ情報が前記ＰＩＮ情報保持部に保持されている場合、電源投入から所定時間経過後までにおいて、ダウンロードアプリケーションが受信できないとき、
前記表示制御部は、ＰＩＮ情報を入力するための画面を表示し、
前記ＰＩＮ情報設定解除部は、前記ＰＩＮ情報保持部に保持されていたＰＩＮ情報と同じＰＩＮ情報が入力されたとき、前記ＰＩＮ情報保持部に保持されていたＰＩＮ情報の設定を解除する請求項１に記載の受信装置。
【請求項３】
デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、および
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するモード選択部、
を備えた受信装置。
【請求項４】
ダウンロードアプリケーションのペアレンタルコントロール機能を設定するためのＰＩＮ情報を保持するＰＩＮ情報保持部を備え、
前記モード選択部は、第２のモードが選択された場合、ＰＩＮ情報を入力するための画面を表示し、前記ＰＩＮ情報保持部に保持されていたＰＩＮ情報と同じＰＩＮ情報が入力されたとき、第２のモードが設定されるよう構成された請求項３に記載の受信装置。
【請求項５】
デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、
ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入からダウンロードアプリケーションが受信できるまでの内蔵アプリケーションによる動作中の期間においては、映像出力をオフ状態とする表示制御部、
ケーブルカードが着脱可能であり、前記ケーブルカードの記憶領域の内容を読み取るケーブルカードインターフェース部、および
前記ケーブルカードの認証動作を行うケーブルカード管理部、を備え、
前記ケーブルカード管理部は、認証動作にてケーブルカードが前回認証したケーブルカードと異なるケーブルカードと判断した場合には、前記ＰＩＮ情報保持部に保持されたＰＩＮ情報の設定を解除する受信装置。
【請求項６】
デジタル放送を受信する受信装置に格納された受信プログラムであって、
電源投入動作において、ネットワーク経由で取得したダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、および
前記ＰＩＮ情報が設定されており、電源投入から所定時間経過後までの期間において、ダウンロードアプリケーションを受信しないとき、前記ＰＩＮ情報の設定の解除を行う機能、
をコンピュータに実現させるための受信プログラム。
【請求項７】
ＰＩＮ情報の設定の解除を行う機能は、
ＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば、ＰＩＮ情報の解除を行い、映像出力をオン状態とする機能、および
入力されたＰＩＮ情報が予め設定されていたＰＩＮ情報と異なる場合には、ＰＩＮ情報を入力するための画面表示を再度行う機能、を含む請求項６に記載の受信プログラム。
【請求項８】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するための画面表示を行う機能、
前記第１のモードが選択されたとき、前記第１のモードを実行する機能、
前記第２のモードが選択されたとき、ダウンロードアプリケーションのペアレンタルコントロール機能を設定するためのＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば前記第２のモードを実行する機能、および
入力されたＰＩＮ情報が予め設定されていたＰＩＮ情報と異なる場合には、モードを選択するための画面表示を再度行う機能、
をコンピュータに実現させるための受信プログラム。
【請求項９】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを管理する機能、
電源投入動作において、前記第１のモードが管理されているとき、ダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、
前記ＰＩＮ情報が設定されており、電源投入から所定時間経過後までの期間において、ダウンロードアプリケーションを受信しないとき、前記ＰＩＮ情報の設定の解除を行う機能、および
電源投入動作において、前記第２のモードが管理されているとき、内蔵アプリケーションを実行する機能、
をコンピュータに実現させるための受信プログラム。
【請求項１０】
電源投入動作において、前記第１のモードが管理されている場合であって、ダウンロードアプリケーションのＰＩＮ情報が設定されていないとき、
電源投入から所定時間経過後までの期間において、ダウンロードアプリケーションを受信したとき、当該ダウンロードアプリケーションを実行する機能、および
電源投入から所定時間経過後までの期間において、ダウンロードアプリケーションを受信しないとき、内蔵アプリケーションを実行する機能、
を含む請求項９に記載の受信プログラム。
【請求項１１】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
当該受信装置において管理された認証キーと着脱可能なカードに記憶された認証キーと交換して、互いの認証キーが一致しているか否かを検出する機能、
当該受信装置の認証キーと前記カードの認証キーが一致していない場合、当該受信装置の証明書と前記カードの証明書を交換して互いの認証を行う機能、
当該受信装置と前記カードのそれぞれの証明書の内容に基づいて新たな認証キーを生成する機能、
新たに生成された認証キーを当該受信装置と前記カードのそれぞれの記憶領域に記録する機能、
新たに生成された認証キーが当該受信装置と前記カードに記録された後、ダウンロードアプリケーションのペアレンタルコントロール機能を設定するためのＰＩＮ情報の設定を解除する機能、および
当該受信装置の認証キーと前記カードの認証キーが一致している場合、および前記ＰＩＮ情報の設定が解除された場合、当該受信装置におけるカード認証動作を終了する機能、
をコンピュータに実現させるための受信プログラム。
【発明の詳細な説明】
【技術分野】
【０００１】
本発明は、ケーブル放送等のデジタル放送用の受信装置に関する、特に、本発明は受信装置に内蔵された内蔵アプリケーションおよびケーブル放送等を介してダウンロードしたアプリケーションに基づき種々の機能を実現する受信装置に関する。
【背景技術】
【０００２】
近年、ケーブル放送においてもデジタル化が進み、種々のサービスが提供されている。このようなケーブル放送の受信装置として種々の技術が開発されている。例えば、日本の特表２００６−５１１１０６号公報にはデジタルケーブルネットワーク・アーキテクチャの１つが示されている。次世代の北米向けケーブル放送の標準規格としてＯＣＡＰ（Open Cable Application Platform）が提案されている。【０００３】
ＯＣＡＰによれば、ＴＶ、ＳＴＢ（セットトップボックス）等の受信装置は、放送局から電子番組表（ＥＰＧ）やＶＯＤ（Video on Demand）視聴用アプリケーション等の種々のアプリケーション（例えば、Ｊａｖａ（登録商標）アプリケーション）をダウンロードすることが可能である。受信装置は、ダウンロードしたアプリケーションをＯＣＡＰ規格で定まるＡＰＩ(Application Program Interface)に基づいて実行することにより所定の機能を実現している。すなわち、受信装置は、決められたＡＰＩに基づき動作するのみで、ダウンロードアプリケーションが実現する具体的な機能については認識していない。以下、ダウンロードアプリケーションがＯＣＡＰ（Open Cable Application Platform）規格に準拠したものである場合「ＯＣＡＰアプリケーション」という。【０００４】
上記のような受信装置は、電源投入時において、局側から定期的に送信されるダウンロードアプリケーション等の配信の有無をチェックし、ダウンロードアプリケーション等が配信されている場合は当該ダウンロードアプリケーションを実行する。【０００５】
受信装置は、局側から送信されるダウンロードアプリケーション以外に、元々当該受信装置にインストールされているアプリケーション（以下「内蔵アプリケーション」という。）を保持している。受信装置はダウンロードアプリケーションを有していない場合、内蔵アプリケーションに従ってその機能を実行する。【０００６】
各アプリケーションには、有害番組を子供に見せたくない場合等を想定して、ユーザが映像表示のオンオフを制御することができるペアレンタルコントロール機能が設けられている。このペアレンタルコントロール機能はユーザがＰＩＮ（Personal Identificaion Number）情報を設定することにより実現される。ＰＩＮ情報の設定は内蔵アプリケーション用およびＯＣＡＰアプリケーション用のそれぞれに設けられている。各アプリケーションにおいてＰＩＮ情報を設定することにより、それぞれの映像表示をオフ状態に制御することができる。【０００７】
しかし、当該受信装置を使用するユーザにおいては、内蔵アプリケーション用およびＯＣＡＰアプリケーション用のＰＩＮ情報が個々に設けられていることを意識して管理していないという実態がある。例えば、ユーザは、ＯＣＡＰアプリケーション用のＰＩＮ情報を設定すれば、内蔵アプリケーションにおいてもペアレンタルコントロール機能が同様に動作すると考えている場合がある。このような実態を考慮して、メーカではＯＣＡＰアプリケーション用のＰＩＮ情報のみが設定されている場合でも、内蔵アプリケーションにおいてペアレンタルコントロール機能の設定の有無にかかわらず、内蔵アプリケーションの映像表示をオフ状態とする実装仕様となっている場合がある。
【発明の開示】
【発明が解決しようとする課題】
【０００８】
しかしながら、上記の実装仕様の受信装置が、ＯＣＡＰアプリケーションのサービスが停止している場合、またはＯＣＡＰアプリケーションのサービスがなされていない地域に移動（引越し）した場合、ＯＣＡＰアプリケーションのＰＩＮ情報が設定されているとき、電源が投入された状態（オン状態）となった後においても、ＯＣＡＰアプリケーションが起動されないため、いつまでも映像が表示されないという問題がある。本発明は、このような問題を解決するものであり、ペアレンタルコントロール機能を考慮しつつ、簡便な方法でユーザの利便性を損なうことなく、所望のアプリケーションを確実に実行することができる受信装置を提供することを目的とする。
【課題を解決するための手段】
【０００９】
上記の目的を達成するために、本発明に係る第１の観点の受信装置は、デジタル放送を受信する受信装置であって、
ネットワーク経由で取得したペアレンタルコントロール機能を有するダウンロードアプリケーション及び当該受信装置に内蔵された内蔵アプリケーションが格納される記憶部、
前記ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入から所定時間経過後までの期間であって、ダウンロードアプリケーションが受信できるまでの内蔵アプリケーションによる動作中の期間においては、映像出力をオフ状態とする表示制御部、および
ペアレンタルコントロール機能を設定したＰＩＮ情報が前記ＰＩＮ情報保持部に保持されている場合、電源投入から所定時間経過後までにおいて、ダウンロードアプリケーションが受信できないとき、前記ＰＩＮ情報保持部に保持されていたＰＩＮ情報の設定を解除するＰＩＮ情報設定解除部、
を備えている。
このように構成された第１の観点の受信装置は、ダウンロードアプリケーションのサービスが停止している場合、またはダウンロードアプリケーションのサービスがなされていない地域に受信装置を移動した場合においても、電源がオン状態となった後においても、ダウンロードアプリケーションが起動されずに、いつまでも映像が表示されないという問題が解決されている。本発明の受信装置においては、ペアレンタルコントロール機能を考慮しつつ簡便な方法でユーザの利便性を損なうことなく、確実に所望のアプリケーションが実行される。【００１０】
本発明に係る第２の観点の受信装置は、前記の第１の観点の受信装置が、
ペアレンタルコントロール機能を設定したＰＩＮ情報が前記ＰＩＮ情報保持部に保持されている場合、電源投入から所定時間経過後までにおいて、ダウンロードアプリケーションが受信できないとき、
前記表示制御部は、ＰＩＮ情報を入力するための画面を表示し、
前記ＰＩＮ情報設定解除部は、前記ＰＩＮ情報保持部に保持されていたＰＩＮ情報と同じＰＩＮ情報が入力されたとき、前記ＰＩＮ情報保持部に保持されていたＰＩＮ情報の設定を解除するよう構成してもよい。【００１１】
本発明に係る第３の観点の受信装置は、デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、および
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するモード選択部、を備えている。
このように構成された第３の観点の受信装置は、いずれのモードを選択しても、ペアレンタルコントロール機能を考慮しつつ、確実に所望のアプリケーションを実行することが可能となる。【００１２】
本発明に係る第４の観点の受信装置は、前記の第３の観点の受信装置がダウンロードアプリケーションのペアレンタルコントロール機能を設定するためのＰＩＮ情報を保持するＰＩＮ情報保持部を備え、
前記モード選択部は、第２のモードが選択された場合、ＰＩＮ情報を入力するための画面を表示し、前記ＰＩＮ情報保持部に保持されていたＰＩＮ情報と同じＰＩＮ情報が入力されたとき、第２のモードが設定されるよう構成してもよい。【００１３】
本発明に係る第５の観点の受信装置は、デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、
ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入からダウンロードアプリケーションが受信できるまでの内蔵アプリケーションによる動作中の期間においては、映像出力をオフ状態とする表示制御部、
ケーブルカードが着脱可能であり、前記ケーブルカードの記憶領域の内容を読み取るケーブルカードインターフェース部、および
前記ケーブルカードの認証動作を行うケーブルカード管理部、を備え、
前記ケーブルカード管理部は、認証動作にてケーブルカードが前回認証したケーブルカードと異なるケーブルカードと判断した場合には、前記ＰＩＮ情報保持部に保持されたＰＩＮ情報の設定を解除するよう構成されている。
このように構成された第５の観点の受信装置は、ケーブルカードの使用時において、ペアレンタルコントロール機能を考慮しつつ、確実に所望のアプリケーションを実行することができる。【００１４】
本発明に係る第６の観点の受信プログラムは、デジタル放送を受信する受信装置に格納された受信プログラムであって、
電源投入動作において、ネットワーク経由で取得したダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、および
前記ＰＩＮ情報が設定されており、電源投入から所定時間経過後までの期間において、ダウンロードアプリケーションを受信しないとき、前記ＰＩＮ情報の設定の解除を行う機能、をコンピュータに実現させている。
このように構成された第６の観点の受信プログラムは、ダウンロードアプリケーションのサービスが停止している場合、またはダウンロードアプリケーションのサービスがなされていない地域に受信装置を移動した場合においても、電源がオン状態となった後においても、ダウンロードアプリケーションが起動されずに、いつまでも映像が表示されないという問題が解決されている。本発明の受信プルグラムによれば、ペアレンタルコントロール機能を考慮しつつ簡便な方法でユーザの利便性を損なうことなく、確実に所望のアプリケーションが実行される。【００１５】
本発明に係る第７の観点の受信プログラムは、前記の第６の観点のＰＩＮ情報の設定の解除を行う機能が、
ＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば、ＰＩＮ情報の解除を行い、映像出力をオン状態とする機能、および
入力されたＰＩＮ情報が予め設定されていたＰＩＮ情報と異なる場合には、ＰＩＮ情報を入力するための画面表示を再度行う機能、を含む構成でもよい。【００１６】
本発明に係る第８の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するための画面表示を行う機能、
前記第１のモードが選択されたとき、前記第１のモードを実行する機能、
前記第２のモードが選択されたとき、ダウンロードアプリケーションのペアレンタルコントロール機能を設定するためのＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば前記第２のモードを実行する機能、および
入力されたＰＩＮ情報が予め設定されていたＰＩＮ情報と異なる場合には、モードを選択するための画面表示を再度行う機能、をコンピュータに実現させている。
このように構成された本発明に係る第８の観点の受信プルグラムによれば、いずれのモードを選択してもペアレンタルコントロール機能を考慮しつつ簡便な方法でユーザの利便性を損なうことなく、確実に所望のアプリケーションが実行される。【００１７】
本発明に係る第９の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを管理する機能、
電源投入動作において、前記第１のモードが管理されているとき、ダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、
前記ＰＩＮ情報が設定されており、電源投入から所定時間経過後までの期間において、ダウンロードアプリケーションを受信しないとき、前記ＰＩＮ情報の設定の解除を行う機能、および
電源投入動作において、前記第２のモードが管理されているとき、内蔵アプリケーションを実行する機能、をコンピュータに実現させている。
このように構成された本発明に係る第９の観点の受信プルグラムによれば、いずれのモードを選択してもペアレンタルコントロール機能を考慮しつつ簡便な方法でユーザの利便性を損なうことなく、確実に所望のアプリケーションが実行される。【００１８】
本発明に係る第１０の観点の受信プログラムは、前記の第９の観点の受信装置の電源投入動作において、前記第１のモードが管理されている場合であって、ダウンロードアプリケーションのＰＩＮ情報が設定されていないとき、
電源投入から所定時間経過後までの期間において、ダウンロードアプリケーションを受信したとき、当該ダウンロードアプリケーションを実行する機能、および
電源投入から所定時間経過後までの期間において、ダウンロードアプリケーションを受信しないとき、内蔵アプリケーションを実行する機能、を含む構成でもよい。【００１９】
本発明に係る第１１の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
当該受信装置において管理された認証キーと着脱可能なカードに記憶された認証キーと交換して、互いの認証キーが一致しているか否かを検出する機能、
当該受信装置の認証キーと前記カードの認証キーが一致していない場合、当該受信装置の証明書と前記カードの証明書を交換して互いの認証を行う機能、
当該受信装置と前記カードのそれぞれの証明書の内容に基づいて新たな認証キーを生成する機能、
新たに生成された認証キーを当該受信装置と前記カードのそれぞれの記憶領域に記録する機能、
新たに生成された認証キーが当該受信装置と前記カードに記録された後、ダウンロードアプリケーションのペアレンタルコントロール機能を設定するためのＰＩＮ情報の設定を解除する機能、および
当該受信装置の認証キーと前記カードの認証キーが一致している場合、および前記ＰＩＮ情報の設定が解除された場合、当該受信装置におけるカード認証動作を終了する機能、をコンピュータに実現させている。
このように構成された第１１の観点の受信プログラムによれば、ケーブルカードの使用時において、ペアレンタルコントロール機能を考慮しつつ、確実に所望のアプリケーションを実行することができる。【００２０】
発明の新規な特徴は添付の請求の範囲に特に記載したものに他ならないが、構成及び内容の双方に関して本発明は、他の目的や特徴と合わせて図面と共に以下の詳細な説明を読むことにより、より良く理解され評価されるであろう。
【発明の効果】
【００２１】
本発明によれば、ダウンロードアプリケーション、例えばＯＣＡＰアプリケーションのＰＩＮ情報が設定されている受信装置において、ダウンロードアプリケーションのサービスが停止している場合、またはダウンロードアプリケーションのサービスがなされていない地域に移動した場合、電源が投入された後においてもダウンロードアプリケーションが起動されないため、いつまでも映像が表示されないという問題を、ペアレンタルコントロール機能を考慮しつつ、簡単な方法でユーザの利便性を損なうことなく解決することができる。
【図面の簡単な説明】
【００２２】
【図１】本発明に係る実施の形態１のケーブル放送受信装置のハードウェア構成を示すブロック図
【図２】実施の形態１のケーブル放送受信装置において、合成部における各プレーンの合成形態と出力形態を示す模式図
【図３Ａ】実施の形態１のケーブル放送受信装置において、ディスプレイに合成されたプレーンを出力した場合における視聴者への見え方を示す模式図
【図３Ｂ】実施の形態１のケーブル放送受信装置において、外部録画機器に合成されたプレーンを出力した場合における視聴者への見え方を示す模式図
【図４】実施の形態１のケーブル放送受信装置において、合成部におけるＯＣＡＰアプリケーション専用プレーンを用いた場合の他のプレーンとの合成形態と出力形態を示す模式図
【図５Ａ】図４において合成部からディスプレイへ、ＯＣＡＰアプリケーション専用プレーンを視聴者に最も近い最上面の位置で出力した場合の各プレーンの配置関係を示す模式図
【図５Ｂ】図４において合成部から外部録画機器へ出力した場合の各プレーンの配置関係を示す模式図
【図６】実施の形態１のケーブル放送受信装置の機能的構成を示すブロック図
【図７】実施の形態１のケーブル放送受信装置における、電源投入動作時（オン動作時）の処理を示すフローチャート
【図８】実施の形態１のケーブル放送受信装置における、ＰＩＮ情報の設定解除処理の動作の処理を示すフローチャート
【図９】本発明に係る実施の形態２のケーブル放送受信装置に規定されているサービスモードを示す図
【図１０】実施の形態２のケーブル放送受信装置において、サービスモードの選択動作を示すフローチャート
【図１１】実施の形態２のケーブル放送受信装置における、電源投入時の動作を示すフローチャート
【図１２】実施の形態２のケーブル放送受信装置における、電源投入時の動作を示すフローチャート
【図１３】本発明に係る実施の形態３のケーブル放送受信装置における、ケーブルカードが挿入されたときの動作を示すフローチャート
【発明を実施するための最良の形態】
【００２３】
以下、本発明に係る受信装置および受信装置に格納された受信プログラムの好適な実施の形態を添付の図面を参照しつつ説明する。なお、本発明は、以下の実施の形態において説明する構成のみに限定されるものではなく、同様の技術的思想に基づく構成が含まれる。【００２４】
（実施の形態１）
本発明に係る実施の形態１の受信装置はケーブル放送用の受信装置であり、デジタル放送の受信装置である。図１は、本発明に係る実施の形態１のケーブル放送受信装置１００のハードウェア構成を示すブロック図である。ケーブル放送受信装置１００は、ケーブル２５０を介して、ケーブル放送局に設置されたケーブル放送を提供する局内サーバ２００と接続されている。ケーブル放送受信装置１００は、特定のケーブル放送局からケーブル放送を受信するためのケーブルカード３００が挿入されて、所定の処理を行うことによりケーブル放送を受信できるよう構成されている。また、ケーブル放送受信装置１００は、ユーザが操作するリモコン４００を介してユーザ操作情報（キーコード）を受信し、受信したキーコードに応じた処理を実行する。更に、ケーブル放送受信装置１００は、ＤＶＤ等の外部録画機器へ映像音声信号を出力するための出力系統（出力）および、ケーブル放送局からの情報以外に複数の映像音声情報を入力できるように映像音声信号の入力系統（入力１、入力２、入力３）を有する。ここで、実施の形態１のケーブル放送受信装置１００は、ＯＣＡＰ規格に準拠したケーブル放送が受信可能な装置である。なお、図１のブロック図で示すハードウェア構成において、音声信号を処理するための構成は説明を簡略化するために省略している。【００２５】
ケーブル放送受信装置１００は、ＣＰＵ１０と、ディスプレイ１１と、合成部１２と、プレーン管理部１３と、ＡＶデコーダ１４と、ＴＤデコーダ１５と、チューナ１６と、ケーブルカードインターフェース（以下、ケーブルカードＩ／Ｆと略称）１７と、リモコン受信部１８と、ハードディスクドライブ（ＨＤＤ）１９と、メモリ２０と、キャッシュメモリ２１と、セレクタ２２及び処理回路２３ａ〜２３ｃと、有して構成されている。【００２６】
ＣＰＵ１０は、ケーブル放送受信装置１００の動作を制御するコントローラである。ＣＰＵ１０には、データの記憶手段としてＨＤＤ１９と、揮発性記憶手段であるメモリ２０及び不揮発性記憶手段であるキャッシュメモリ２１が接続されている。また、ＣＰＵ１０は、リモコン受信部１８から入力されたキーコードに基づき、ケーブル放送及び入力１〜３のうちのいずれかから入力された情報の１つをディスプレイ１１に表示させる。【００２７】
ディスプレイ１１は、合成部１２から出力された映像を表示する。合成部１２は、プレーン管理部１３から出力された複数のプレーンを合成し、ディスプレイ１１への出力又は外部録画機器への出力を行う。ここで、プレーンとは、メモリ領域に記憶された１画面分の画素データ（Pixel Map)である。【００２８】
図２は、合成部１２において合成される各プレーンの合成形態と出力形態を示す模式図である。図２に示すように、合成部１２は、プレーン管理部１３から出力されたスチルプレーン、ビデオプレーン、内蔵アプリケーション専用プレーンおよびＯＳＤ（On Screen Display）プレーンの各プレーンを合成し、ディスプレイ１１又は外部録画機器へ出力する。なお、スチルプレーンとは、ＯＣＡＰアプリケーションが背景画として用いる画像に関するメモリ領域に記憶された１画面分の静止画像の画素データ（Pixel Map)である。ビデオプレーンとは、映像に関するメモリ領域に記憶された１画面分の画素データ（Pixel Map)である。内蔵アプリケーション専用プレーンとは、内蔵アプリケーションのＯＳＤ情報に関するメモリ領域に記憶された１画面分の画素データ（Pixel Map)である。ＯＳＤプレーンとは、ＯＣＡＰアプリケーションが使用するＯＳＤ情報に関するメモリ領域に記憶された１画面分の画素データ（Pixel Map)である。
なお、合成部１２は、ＣＰＵ１０の制御に基づき、入力１〜３のうちのいずれか情報がセレクタ２２により選別されて入力され、ディスプレイ１１に出力する機能も有する。【００２９】
図３Ａおよび図３Ｂは、合成部１２において合成された各プレーンのユーザである視聴者への見え方を示す模式図であり、各図において、積層された各プレーンを上方から視聴者が見ている状態を示している。図３Ａが合成部１２からディスプレイ１１に合成されたプレーンを出力した場合を示しており、図３Ｂが合成部１２から外部録画機器に合成されたプレーンを出力した場合を示している。【００３０】
図３Ａに示すように、合成部１２がディスプレイ１１へ合成されたプレーンを出力する場合、スチルプレーン、ビデオプレーン、内蔵アプリケーション専用プレーンおよびＯＳＤプレーンを、内蔵アプリケーションおよびＯＣＡＰアプリケーションの動作状態に応じてそれぞれを合成して出力する。また、図３Ｂに示すように、合成部１２が外部録画機器へ合成されたプレーンを出力する場合、スチルプレーン、ビデオプレーンおよびＯＳＤプレーンを合成して出力する。したがって、外部録画機器へ出力するプレーンには内蔵アプリケーション専用プレーンが含まれない。【００３１】
なお、合成部１２において合成されるプレーンとして、ＯＣＡＰアプリケーション専用プレーンを含む場合がある。ＯＣＡＰアプリケーション専用プレーンとは、ＯＣＡＰアプリケーションが外部録画機器へ出力したくないＯＳＤ情報に関するメモリ領域に記憶された１画面分の画素データ（Pixel Map)である。【００３２】
図４は、合成部１２においてＯＣＡＰアプリケーション専用プレーンを用いる場合の他のプレーンとの合成形態と出力形態を示す模式図である。図４に示すように、合成部１２は、ＯＣＡＰアプリケーション専用プレーンを用いる場合、ＯＣＡＰアプリケーション専用プレーンを視聴者に最も近い最上面の位置、または内蔵アプリケーション専用プレーンとＯＳＤプレーンとの間の位置のいずれかに配置することができる。その選択は、内蔵アプリケーションおよびＯＣＡＰアプリケーションの動作状態、ＯＣＡＰアプリケーション専用プレーンの内容などに基づき決定してもよい。【００３３】
図５Ａは、図４において合成部１２からディスプレイ１１へ、ＯＣＡＰアプリケーション専用プレーンを視聴者に最も近い最上面の位置で出力した場合における、合成された各プレーンの配置関係を示している。図５Ｂは、図４において合成部１２から外部録画機器へ出力した場合における、合成された各プレーンの配置関係を示している。図５Ａおよび図５Ｂは、各プレーンを上方から視聴者が見た場合の模式図である。したがって、外部録画機器へ出力するプレーンには内蔵アプリケーション専用プレーンおよびＯＣＡＰアプリケーション専用プレーンが含まれない。【００３４】
上記のように、プレーン管理部１３は、スチルプレーン、ビデオプレーン、内蔵アプリケーション専用プレーン、ＯＳＤプレーンおよびＯＣＡＰアプリケーション専用プレーンを合成部１２に出力し、これらの各プレーンを管理する。【００３５】
図１に示したように、ケーブル放送受信装置１００が有するＡＶデコーダ１４は、局内サーバ２００よりＭＰＥＧ形式等で配信された音声／映像データを復号する。ＴＤデコーダ１５は、音声／映像／データを多重化したトランスポートストリームをパケットフィルタリングで変換して、各データ単独で出力する（Demultiplexing）。チューナ１６は、局内サーバ２００よりケーブル２５０を介して配信された信号を受信する。受信された信号はケーブルカード３００でデスクランブルされＴＤデコーダ１５へ出力される。【００３６】
ケーブルカードＩ／Ｆ１７は、ケーブルカード３００とデータの送受信を行う。リモコン受信部１８は、ユーザが操作するリモコン４００からユーザ操作情報（キーコード）を受信し、キーコードとしてＣＰＵ１０へ出力する。【００３７】
セレクタ２２は、処理回路２３ａ〜２３ｃからの出力のうちの１つの出力を選択し、合成部１２へ出力する。処理回路２３ａ〜２３ｃは、入力系統である、例えば３つの入力（入力１、入力２、入力３）から入力されたそれぞれの映像音声信号を処理し、セレクタ２２へ出力する。【００３８】
次に、図６を用いて、実施の形態１のケーブル放送受信装置１００の機能的構成を説明する。図６は、実施の形態１のケーブル放送受信装置１００の機能的構成を示すブロック図である。【００３９】
図６のブロック図に示す機能的構成は、ＣＰＵ１０（図１参照）が所定のプログラムを実行することにより実現される。なお、図６においては、説明の便宜上、本発明において主要な機能を示している。図６に示されていない機能であっても、後述するケーブル放送受信装置１００の機能は、ＣＰＵ１０が所定のプログラムを実行することで実現され得る。【００４０】
ケーブル放送受信装置１００は、内蔵アプリケーション５１ａ，５１ｂと、ＯＣＡＰアプリケーション５２ａ，５２ｂと、内蔵アプリケーション管理部５３と、ＯＣＡＰアプリケーション管理部５４と、動作モード管理部５５と、キー配送部５６と、重複機能管理部５７と、データ管理部５８と、ケーブルカード管理部５９と、ＯＣＡＰバージョン管理部６０と、ＯＣＡＰアプリケーション保持部６１と、ＯＳ６２とを有している。【００４１】
ケーブル放送受信装置１００の内蔵アプリケーション５１ａ，５１ｂは、例えば、選局アプリケーション、ペアレンタルコントロール表示アプリケーション、設定アプリケーション等であり、これらのアプリケーションは当該ケーブル放送受信装置１００の出荷時に組み込まれているか、またはネットワーク経由若しくはＳＤカード等の記憶媒体を介してインストールされたアプリケーションである。ＯＣＡＰアプリケーション５２ａ，５２ｂは、例えば、選局アプリケーション、ペアレンタルコントロール表示アプリケーション、設定アプリケーション等であり、局内サーバ２００等からダウンロードして取得したアプリケーションである。【００４２】
内蔵アプリケーション管理部５３は、内蔵アプリケーション５１ａ，５１ｂの起動、内蔵アプリケーション５１ａ，５１ｂのキーコードの配送制御、ＯＣＡＰアプリケーション管理部５４の起動を制御する。ＯＣＡＰアプリケーション管理部５４は、ＯＣＡＰアプリケーション５２ａ，５２ｂを実行するミドルウェアであって、ＯＣＡＰアプリケーション５２ａ，５２ｂの起動及びＯＣＡＰアプリケーション５２ａ，５２ｂのキーコードの配送制御を行う。【００４３】
動作モード管理部５５は、ケーブル放送受信装置１００の動作モードを管理する。動作モードにはＩＤＴＶモードおよびＯＣＡＰモードがある。ＩＤＴＶモードとは内蔵アプリケーション５１ａ，５１ｂのみが動作している状態をいう。ＯＣＡＰモードとはＯＣＡＰアプリケーション５２ａ，５２ｂが更に動作している状態をいう。また、動作モード管理部５５は、内蔵アプリケーション５１ａ，５１ｂの状態を管理するとともに、ＯＣＡＰアプリケーション管理部５４から通知されたＯＣＡＰアプリケーション５２ａ，５２ｂの起動および終了を管理する。【００４４】
キー配送部５６は、リモコン４００（図１参照）からのキーコードを内蔵アプリケーション管理部５３またはＯＣＡＰアプリケーション管理部５４へ配送する。【００４５】
重複機能管理部５７は、予め設定された排他共有情報に基づいて内蔵アプリケーション５１ａ，５１ｂおよびＯＣＡＰアプリケーション５２ａ，５２ｂの排他／共有の判断を行う。ここで、排他共有情報とは、両アプリケーション間で実行する同様の機能に関して、機能毎にＯＣＡＰモード優先かＩＤＴＶモード優先かを記載している情報である。【００４６】
データ管理部５８は、例えばＰＩＮ（Personal Identificaion Number）情報、ペアレンタル情報、字幕設定情報等の内蔵アプリケーション（５１ａ、５１ｂ）およびＯＣＡＰアプリケーション（５２ａ、５２ｂ）の両方のアプリケーションにおいて共有するデータを管理する。ケーブルカード管理部５９は、カード、例えばケーブルカード３００（図１参照）からの要求を受信し、管理し、実行するモジュールである。【００４７】
ＯＣＡＰバージョン管理部６０は、ＯＣＡＰアプリケーション保持部６１で保持されているＯＣＡＰアプリケーション５２ａ，５２ｂのバージョンを管理するとともに、受信したＸＡＩＴ（Extended Application Information Table）に基づいてＯＣＡＰアプリケーション５２ａ，５２ｂのバージョンアップ処理を行う。ここで、ＸＡＩＴとは、局内サーバ２００から送信されるＯＣＡＰアプリケーション５２ａ，５２ｂの管理情報であって、少なくとも起動するＯＣＡＰアプリケーション５２ａ，５２ｂの情報として、バージョン情報、ＯＣＡＰアプリケーション５２ａ，５２ｂの格納場所（ＵＲＬ情報等）を含む。ケーブル放送受信装置１００は、局内サーバ２００から定期的にＸＡＩＴを受信している。ＯＣＡＰアプリケーション保持部６１は、ＸＡＩＴに基づいて局内サーバ２００からダウンロードしたＯＣＡＰアプリケーション５２ａ，５２ｂを保持する。ＯＳ６２は、ケーブル放送受信装置１００の全体を管理するソフトウェアである。【００４８】
以下、本発明に係る実施の形態１のケーブル放送受信装置における動作について説明する。【００４９】
［電源投入時における映像出力動作］
以下、上記の構成を有する実施の形態１のケーブル放送受信装置１００において電源が投入された状態（オン状態）となった後の動作について、図７および図８のフローチャートを用いて説明する。図７は電源投入動作時（オン動作時）の処理を示すフローチャートである。図８はＰＩＮ情報の設定解除処理の動作の処理を示すフローチャートである。【００５０】
電源がオン状態になると、データ管理部５８に対して、ＯＣＡＰアプリケーションのＰＩＮ情報が設定されているか否か確認される（Ｓ１００）。ＰＩＮ情報が設定されていれば、映像出力をオフ状態とする（Ｓ１０１）。具体的には、内蔵アプリケーション専用プレーンをブラックアウトし、ＯＳＤプレーンからの映像出力のみを表示する（図３Ａ参照）。なお、ＰＩＮ情報が設定されていない場合の動作については、通常の映像出力動作であり、本願発明と直接には関係しないのでここではその説明は省略する。【００５１】
Ｓ１０１において映像出力をオフ状態にした後、次に、ＸＡＩＴが受信できたか否かを判断する（Ｓ１０２）。前述のようにＸＡＩＴは局内サーバ２００から定期的に配信されてくるものである。ＸＡＩＴが受信されたということは、ケーブル放送受信装置１００がＯＣＡＰアプリケーションをダウンロードして動作可能なことを意味する。一方、ＸＡＩＴが受信できない場合には、Ｓ１０３において、電源投入から所定の時間（例えば１０秒）が経過したか否かを確認する。所定の時間が経過していない場合には、ＸＡＩＴが受信できたか否かを再度確認しに行く（Ｓ１０２へ移行）。電源投入から所定の時間が経過した後においてもＸＡＩＴが受信できない場合には、当該地域においてはＯＣＡＰサービスがなされていないことを意味する。このままの状態では、映像出力がオン状態とならないため、ＰＩＮ情報の設定を解除する処理を行う（Ｓ１０４）。このＰＩＮ情報の設定解除処理の動作については後述する。【００５２】
Ｓ１０２においてＸＡＩＴが受信できたことを確認した場合には、ＯＣＡＰアプリケーションをダウンロードする（Ｓ１０５）。ＯＣＡＰアプリケーションを完全にダウンロードするまで多少時間がかかるため、ユーザへの配慮からＯＳＤプレーン上には、例えば「ＯＣＡＰ取得中」等と書き込み、ディスプレイ１１に映像出力させる。「ＯＣＡＰ取得中」の出力は、ＯＣＡＰ規格により定義された「Service Context」の取得が完了した時、ＯＳＤプレーンが不可視状態から可視状態に変更された時、ＯＣＡＰ規格により定義された「Ｘｌｅｔ」のロード完了時、「ｉｎｔＸｌｅｔ」の処理時、若しくは「ｓｔａｒｔＸｌｅｔ」の処理時に消去する。実施の形態１のケーブル放送受信装置１００は、上記のようにＯＣＡＰアプリケーションをダウンロードした後は、ＯＣＡＰアプリケーションに従い動作する。【００５３】
以下、図７のＳ１０４において行われるＰＩＮ情報の設定解除処理の動作について図８を用いて説明する。【００５４】
図８のＳ２００において、ディスプレイ１１にはユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ２０１）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ２０２）、ディスプレイ１１において再度ユーザにＰＩＮ情報の入力を促す画面を表示する（Ｓ２００へ移行）。【００５５】
Ｓ２０１において、ユーザの入力したＰＩＮ情報がデータ管理部５８において保持されているＯＣＡＰアプリケーションのＰＩＮ情報と同じ場合には、データ管理部５８が保持しているＯＣＡＰアプリケーションのＰＩＮ情報を解除する（Ｓ２０３）。また、ＰＩＮ情報の解除に伴い、内蔵アプリケーション専用プレーンのブラックアウトも解除する（Ｓ２０４）。この結果、実施の形態１のケーブル放送受信装置１００においては映像が出力される。【００５６】
なお、上記の実施の形態１の説明においては、内蔵アプリケーション専用プレーンをブラックアウトすることにより映像出力を制御したが、ビデオプレーンおよびスチルプレーンからの映像を出力させずに、ＯＳＤプレーンからの映像のみを出力して表示する方法により、ケーブル放送受信装置における映像出力を制御してもよい。【００５７】
以上のように、実施の形態１の受信装置は、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいては、電源投入された後においてもＯＣＡＰアプリケーションが起動されないため、いつまでも映像が表示されないという問題が解決されている。以上のように、実施の形態１の受信装置は、ペアレンタルコントロール機能を考慮しつつ、簡単な方法でユーザの利便性が図られている。【００５８】
（実施の形態２）
以下、本発明に係る実施の形態２の受信装置であるケーブル放送用の受信装置について説明する。実施の形態２のケーブル放送受信装置は、サービスモードの選択が可能な構成を有している。なお、実施の形態２のケーブル放送受信装置のハードウェア構成および基本機能構成は、前述の実施の形態１で説明した図１および図６と同様である。【００５９】
［サービスモードの選択動作］
以下、実施の形態２のケーブル放送受信装置におけるサービスモードの選択動作について説明する。【００６０】
サービスモードとは、ＯＣＡＰアプリケーション、内蔵アプリケーションなどアプリケーションにおけるいずれのアプリケーションの動作を実行するか、またはいずれのアプリケーションの動作を優先して実行するかの選択モードである。実施の形態２のケーブル放送受信装置では、図９に示すモード１（Autoモード)およびモード２(Legacyモード)の２つのサービスモードが規定されている。【００６１】
実施の形態２のケーブル放送受信装置に規定されているモード１（Autoモード）は、ＯＣＡＰサービスが流れていれば、ＯＣＡＰアプリケーションをダウンロードして、このＯＣＡＰアプリケーションを実行し、ＯＣＡＰサービスが流れていなければ、内蔵アプリケーションを実行するモードである。また、モード２（Legacyモード）は、ＯＣＡＰサービスが流れているか否かに関わらずＯＣＡＰアプリケーションを受信せず、内蔵アプリケーションでのみ動作するモードである。【００６２】
以下、図１０のフローチャートを用いて、ユーザがサービスモードを設定する際の動作について説明する。【００６３】
ステップＳ３００においては、ディスプレイにはモード選択画面が表示される。具体的な表示画面は、図９に示したモード１（Autoモード)およびモード２(Legacyモード)のいずれかのサービスモードを、ユーザが選択可能な画面であればよい。Ｓ３０１において、ユーザの選択したサービスモードがモード１（Autoモード）かモード２（Legacyモード）かが判断される（Ｓ３０１）。ユーザの選択したサービスモードがモード１（Autoモード）であれば、データ管理部５８でモード１を設定する（Ｓ３０２）。ユーザの選択したサービスモードがモード２（Legacyモード）であれば、Ｓ３０３において、ディスプレイ１１にはユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ３０４）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ３０５）、再度ユーザにサービスモードの選択を促す画面を表示する（Ｓ３００へ移行）。ユーザの入力したＰＩＮ情報がデータ管理部５８において保持されているＯＣＡＰアプリケーションのＰＩＮ情報と同じ場合には、データ管理部５８においてモード２が設定される（Ｓ３０６）。【００６４】
以上のサービスモードの選択動作により、ＯＣＡＰサービスが流れているか否かに関わらずＯＣＡＰアプリケーションを受信せず、内蔵アプリケーションでのみ動作するモード２（Legacyモード）をユーザが選択した場合には、ＯＣＡＰアプリケーションのＰＩＮ情報の確認を行った後、サービスモードの変更を行っている。このため、実施の形態２のケーブル放送受信装置においては、ペアレンタルコントロール機能を考慮しつつ、簡便な方法でユーザの利便性を損なうことなく、サービスモードの設定が可能となる。【００６５】
［電源投入時における映像出力動作］
次に、上記のサービスモードの設定がなされていることを前提として、実施の形態２のケーブル放送受信装置１００の電源投入後の動作について説明する。実施の形態２のケーブル放送受信装置のハードウェア構成および基本機能構成は、前述の実施の形態１のケーブル放送受信装置において説明した図１および図６と同じであるため、同じ用語を用いて説明する。【００６６】
実施の形態２のケーブル放送受信装置は、実施の形態１のケーブル放送受信装置において図７を用いて説明した電源投入動作時に上記で説明したサービスモードの選択動作を加えた変形例である。【００６７】
以下、図１１および図１２を用いて、実施の形態２のケーブル放送受信装置における、電源投入時の動作（オン状態後の動作）について説明する。【００６８】
電源がオン状態となると、データ管理部５８において管理されているサービスモードが確認される（Ｓ４００）。サービスモードがモード２（Legacyモード）である場合には、ＯＣＡＰサービスが流れているか否かに関わらずＯＣＡＰアプリケーションを受信せず、内蔵アプリケーションを実行する。なお、ＯＣＡＰアプリケーションを受信しない場合でも、ＸＡＩＴが受信できたか否かを検出し、ＸＡＩＴが受信できた場合には、例えば「ＯＣＡＰアプリケーションが受信可能です」と表示してもよい（Ｓ４０２）。前述のように、モード２（Legacyモード）を設定する場合には、ＯＣＡＰアプリケーションのＰＩＮ情報の確認を行った後、サービスモードの変更を行っているので、ペアレンタルコントロール機能を考慮しつつ、内蔵アプリケーションの実行が行われている。【００６９】
Ｓ４００において、サービスモードがモード１（Autoモード）の場合はステップＳ４０１に移行する。【００７０】
ステップＳ４０１でデータ管理部５８においてＯＣＡＰアプリケーションのＰＩＮ情報が設定されているか否かが確認される（Ｓ４０１）。ＰＩＮ情報が設定されていない場合には、ステップＳ５へ移行する。ステップＳ５以降の動作については図１２を用いて後述する。ＰＩＮ情報が設定されていれば、映像出力をオフ状態とする（Ｓ４０３）。具体的には、内蔵アプリケーション専用プレーンをブラックアウトし、ＯＳＤプレーンからの映像出力のみを表示する（図３Ａ参照）。次に、ＸＡＩＴが受信できたか否かを判断する（Ｓ４０４）。前述のようにＸＡＩＴは局内サーバ２００から定期的に配信されてくるものであり、ＸＡＩＴが受信されたことは、ケーブル放送受信装置１００がＯＣＡＰアプリケーションをダウンロードして動作可能なことを意味する。一方、ＸＡＩＴが受信できない場合には、Ｓ４０５にて電源投入から所定の時間（例えば１０秒）が経過したか否かが確認される。【００７１】
所定の時間が経過していない場合には、ＸＡＩＴが受信できたか否かを再度確認しに行く（Ｓ４０４へ移行）。電源投入から所定の時間が経過後においてもＸＡＩＴが受信できない場合には、ＯＣＡＰサービスがなされていないことを意味するので、このままの状態では、映像出力がオン状態とならないため、ＰＩＮ情報の設定解除の処理を行う。具体的には、前述の実施の形態１において説明した図８のＰＩＮ情報の設定解除の処理が行われる。以下、図８を参照して説明する。【００７２】
図８のＳ２００において、ユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ２０１）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ２０２）、ディスプレイ１１には再度ユーザにＰＩＮ情報の入力を促す画面を表示する（Ｓ２００へ移行）。【００７３】
Ｓ２０１において、ユーザの入力したＰＩＮ情報がデータ管理部５８において保持されているＯＣＡＰアプリケーションのＰＩＮ情報と同じ場合には、データ管理部５８におけるＯＣＡＰアプリケーションのＰＩＮ情報を解除する（Ｓ２０３）。また、ＰＩＮ情報の解除に伴い、内蔵アプリケーション専用プレーンのブラックアウトも解除して、映像を出力する（Ｓ２０４）。【００７４】
図１１に示す電源投入動作のフローチャートに戻って、Ｓ４０４においてＸＡＩＴが受信できた場合には、ＯＣＡＰアプリケーションをダウンロードする（Ｓ４０６）。ＯＣＡＰアプリケーションを完全にダウンロードするまで多少時間がかかるため、ユーザへの配慮からＯＳＤプレーン上には、例えば「ＯＣＡＰ取得中」等と書き込み、ディスプレイ１１に映像を出力する。ＯＣＡＰアプリケーションをダウンロードした後は、そのＯＣＡＰアプリケーションに従い動作する。【００７５】
なお、Ｓ４０７においては図８のＰＩＮ情報の設定解除処理を行ったが、他の処理例としては図１０に示したユーザにサービスモードの選択動作を行わせてもよい。電源投入から所定の時間が経過後においてもＸＡＩＴが受信できない場合には、ＯＣＡＰサービスがなされていないことが明らかであるため、図８に示したＰＩＮ情報の設定解除処理の代わりに、図１０に示したサービスモードの選択動作処理を行ってもよい。このように、ユーザにあらためてサービスモードの選択を行わせることにより、ＰＩＮ情報を考慮に入れたアプリケーションの選択が行われる。【００７６】
次に、図１２を用いて、図１１に示したステップＳ５以降の動作について説明する。【００７７】
図１１のＳ４０１においてＯＣＡＰアプリケーションのＰＩＮ情報が設定されていないことが確認されたため、図１２のＳ５００においてＸＡＩＴが受信できたか否かが判断される。前述のようにＸＡＩＴは局内サーバ２００から定期的に配信されてくるものであり、ＸＡＩＴが受信されたことは、ケーブル放送受信装置１００がＯＣＡＰアプリケーションをダウンロードして動作可能なことを意味する。ＸＡＩＴが受信できない場合には、Ｓ５０２において電源投入（電源がＯＮ状態）から所定時間（例えば１０秒）が経過したか否かが確認される。【００７８】
電源投入から所定の時間が経過していない場合には、ＸＡＩＴが受信できたか否かを再度確認するためＳ５００へ移行する。電源投入から所定の時間が経過後においてもＸＡＩＴが受信できない場合には、ＯＣＡＰサービスがなされていないことを意味するため、ステップＳ５０３に移行して、内蔵アプリケーションを実行する。【００７９】
一方、Ｓ５００において、ＸＡＩＴが受信できた場合には、ＯＣＡＰアプリケーションをダウンロードして、そのＯＣＡＰアプリケーションを実行する（Ｓ５０１）。【００８０】
なお、実施の形態２のケーブル放送受信装置において、ＰＩＮ情報が設定されている場合においては、内蔵アプリケーション専用プレーンをブラックアウトすることにより映像出力を制御した例で説明したが、ビデオプレーンおよびスチルプレーンからの映像を出力させずに、ＯＳＤプレーンからの映像のみを出力して表示する方法により、映像出力を制御してもよい。【００８１】
以上のように、実施の形態２の受信装置においては、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいて、サービスモードの選択を行うことにより、ペアレンタルコントロール機能を考慮しつつ、簡単な方法でユーザの利便性が図って、所望のアプリケーションが確実に実行される。【００８２】
（実施の形態３）
以下、本発明に係る実施の形態３の受信装置であるケーブル放送用の受信装置について説明する。実施の形態３のケーブル放送受信装置は、電源が投入されたとき（電源がオン状態になったとき）およびケーブルカードの挿入時にペアレンタルコントロール機能を考慮した動作が行われる構成である。なお、実施の形態３のケーブル放送受信装置のハードウェア構成および基本機能構成は、前述の実施の形態１で説明した図１および図６と同様であるため、同じ機能、構成を有するものには同じ符号を付してその説明は実施の形態１の説明を適用する。【００８３】
［電源投入後のケーブルカード挿入時の動作］
以下、実施の形態３のケーブル放送受信装置において電源投入後のケーブルカード３００を挿入した時の動作について説明する。実施の形態３のケーブル放送受信装置においては、ケーブルカード３００の挿入時にＯＣＡＰアプリケーションのＰＩＮ情報の設定を確認して、必要な場合にはＰＩＮ情報の設定を解除する方法において特徴を有する。図１３は、ケーブルカード３００が挿入されたときの動作を示すフローチャートである。以下、図１３のフローチャートを用いて説明する。【００８４】
ケーブルカード３００が挿入された時（Ｓ６００）、ケーブルカード管理部５９において管理された認証キーとケーブルカード３００の不揮発性記憶領域に記憶された認証キーが交換される（Ｓ６０１）。【００８５】
Ｓ６０２において、互いの認証キーが一致していればＳ６０３のカード認証動作をスキップして終了する。【００８６】
Ｓ６０２において、互いの認証キーが一致しない場合又は認証キーがケーブルカード管理部５９において設定されていない場合には、Ｓ６０３のカード認証動作が行われる。Ｓ６０３のカード認証動作において、先ず始めに、ケーブルカード３００とケーブル放送受信装置の互いの証明書を交換して認証を行う（Ｓ６０３１）。認証完了後、ケーブル放送受信装置とケーブルカード３００は自身の証明書と交換した相手の証明書に記載されたＩＤをもとに新たに認証キーを生成する（Ｓ６０３２）。この結果、ケーブル放送受信装置とケーブルカード３００は、お互いの認証キーが同じ値になる。ケーブルカード管理部５９が管理している不揮発性記憶領域とケーブルカード３００の不揮発性記憶領域にそれぞれ新たな認証キーを記録する（Ｓ６０３３）。更に、データ管理部５８にて設定されているＯＣＡＰアプリケーションのＰＩＮ情報の設定を解除し（Ｓ６０３４）、ケーブルカード３００の挿入時における認証キーの確認動作は終了する。【００８７】
以上がケーブルカード３００の挿入時における認証キーの確認動作であるが、異なるケーブルカード３００が挿入された場合には、必ず異なる認証キーが生成される。また、ケーブルカード３００は、ユーザに対して、各地域のケーブルテレビオペレータを通じて配布される。また、別地域に引越しする場合には、今までのケーブルカード３００は引っ越す前の地域のケーブルテレビオペレータに返却し、引越し先のケーブルテレビオペレータを通じて新たなケーブルカード３００が再配付される。【００８８】
このように、引越しを行った後において、最初にケーブルカード３００が挿入される場合には、必ず異なるケーブルカードが当該ケーブル放送受信装置へ挿入されることになる。したがって、実施の形態３のケーブル放送受信装置においては、引っ越し後にケーブルカードが挿入されたときには、ＯＣＡＰアプリケーションのＰＩＮ情報の設定が確実に解除される。即ち、実施の形態３の受信装置によれば、ユーザが異なるケーブルカードを挿入すれば、通常のカード認証動作に加えて、ＰＩＮ情報の設定の解除を行うように構成されている。このため、実施の形態３の受信装置においては、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいて、ケーブルカードを挿入すればＰＩＮ情報の設定が解除される。このため、実施の形態３のケーブル放送受信装置においては、ペアレンタルコントロール機能を考慮しつつ、簡単な方法でユーザの利便性が図られている。【００８９】
なお、上記の各実施の形態においては、放送データの伝送媒体としてケーブルを用いた例を説明したが、本発明が適用できる伝送媒体の種類はケーブルに限定されるものではない。本発明の思想は、放送データを受信する受信装置であって、内蔵のアプリケーションとダウンロードアプリケーションの双方により機能が実現される受信装置に対して適用できる。【００９０】
なお、各実施の形態の説明において、請求の範囲に記載したＰＩＮ情報保持部はデータ管理部５８で管理される不揮発性記憶領域に相当し、請求の範囲に記載したＰＩＮ情報設定解除部は、データ管理部５８が機能を有するものである。請求の範囲に記載した表示制御部は、ＣＰＵ１０、プレーン管理部１３においてその機能が実現される。請求の範囲に記載したモード選択部は、動作モード管理部５５が機能を有するものである。請求の範囲に記載した記憶部は、各実施の形態のケーブル放送受信装置における記憶手段を意味し、ＨＤＤ１９，メモリ２０およびキャッシュメモリ２１を含む。【００９１】
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【産業上の利用可能性】
【００９２】
本発明は、放送データを受信する受信装置であって、内蔵アプリケーションとダウンロードアプリケーションの双方により機能が実現されるＴＶ、ＳＴＢ等の受信装置に有用である。
【図１】
2009019828.tif 000003
【図２】
2009019828.tif 000004
【図３Ａ】
2009019828.tif 000005
【図３Ｂ】
2009019828.tif 000006
【図４】
2009019828.tif 000007
【図５Ａ】
2009019828.tif 000008
【図５Ｂ】
2009019828.tif 000009
【図６】
2009019828.tif 000010
【図７】
2009019828.tif 000011
【図８】
2009019828.tif 000012
【図９】
2009019828.tif 000013
【図１０】
2009019828.tif 000014
【図１１】
2009019828.tif 000015
【図１２】
2009019828.tif 000016
【図１３】
2009019828.tif 000017
【手続補正書】
【提出日】平成22年3月24日(2010.3.24)
【手続補正１】
【補正対象書類名】明細書
【補正対象項目名】全文
【補正方法】変更
【補正の内容】
【発明の詳細な説明】
【技術分野】
【０００１】
本発明は、ケーブル放送等のデジタル放送用の受信装置に関する、特に、本発明は受信装置に内蔵された内蔵アプリケーションおよびケーブル放送等を介してダウンロードしたアプリケーションに基づき種々の機能を実現する受信装置に関する。
【背景技術】
【０００２】
近年、ケーブル放送においてもデジタル化が進み、種々のサービスが提供されている。このようなケーブル放送の受信装置として種々の技術が開発されている。例えば、日本の特表２００６−５１１１０６号公報にはデジタルケーブルネットワーク・アーキテクチャの１つが示されている。次世代の北米向けケーブル放送の標準規格としてＯＣＡＰ（Open Cable Application Platform）が提案されている。
【０００３】
ＯＣＡＰによれば、ＴＶ、ＳＴＢ（セットトップボックス）等の受信装置は、放送局から電子番組表（ＥＰＧ）やＶＯＤ（Video on Demand）視聴用アプリケーション等の種々のアプリケーション（例えば、Ｊａｖａ（登録商標）アプリケーション）をダウンロードすることが可能である。受信装置は、ダウンロードしたアプリケーションをＯＣＡＰ規格で定まるＡＰＩ(Application Program Interface)に基づいて実行することにより所定の機能を実現している。すなわち、受信装置は、決められたＡＰＩに基づき動作するのみで、ダウンロードアプリケーションが実現する具体的な機能については認識していない。以下、ダウンロードアプリケーションがＯＣＡＰ（Open Cable Application Platform）規格に準拠したものである場合「ＯＣＡＰアプリケーション」という。
【０００４】
上記のような受信装置は、電源投入時において、局側から定期的に送信されるダウンロードアプリケーション等の配信の有無をチェックし、ダウンロードアプリケーション等が配信されている場合は当該ダウンロードアプリケーションを実行する。
【０００５】
受信装置は、局側から送信されるダウンロードアプリケーション以外に、元々当該受信装置にインストールされているアプリケーション（以下「内蔵アプリケーション」という。）を保持している。受信装置はダウンロードアプリケーションを有していない場合、内蔵アプリケーションに従ってその機能を実行する。
【０００６】
各アプリケーションには、有害番組を子供に見せたくない場合等を想定して、ユーザが映像表示のオンオフを制御することができるペアレンタルコントロール機能が設けられている。このペアレンタルコントロール機能はユーザがＰＩＮ（Personal Identificaion Number）情報を設定することにより実現される。ＰＩＮ情報の設定は内蔵アプリケーション用およびＯＣＡＰアプリケーション用のそれぞれに設けられている。各アプリケーションにおいてＰＩＮ情報を設定することにより、それぞれの映像表示をオフ状態に制御することができる。
【０００７】
しかし、当該受信装置を使用するユーザにおいては、内蔵アプリケーション用およびＯＣＡＰアプリケーション用のＰＩＮ情報が個々に設けられていることを意識して管理していないという実態がある。例えば、ユーザは、ＯＣＡＰアプリケーション用のＰＩＮ情報を設定すれば、内蔵アプリケーションにおいてもペアレンタルコントロール機能が同様に動作すると考えている場合がある。このような実態を考慮して、メーカではＯＣＡＰアプリケーション用のＰＩＮ情報のみが設定されている場合でも、内蔵アプリケーションにおいてペアレンタルコントロール機能の設定の有無にかかわらず、内蔵アプリケーションの映像表示をオフ状態とする実装仕様となっている場合がある。
【発明の概要】
【発明が解決しようとする課題】
【０００８】
しかしながら、上記の実装仕様の受信装置が、ＯＣＡＰアプリケーションのサービスが停止している場合、またはＯＣＡＰアプリケーションのサービスがなされていない地域に移動（引越し）した場合、ＯＣＡＰアプリケーションのＰＩＮ情報が設定されているとき、電源が投入された状態（オン状態）となった後においても、ＯＣＡＰアプリケーションが起動されないため、いつまでも映像が表示されないという問題がある。本発明は、このような問題を解決するものであり、ペアレンタルコントロール機能を考慮しつつ、簡便な方法でユーザの利便性を損なうことなく、所望のアプリケーションを確実に実行することができる受信装置を提供することを目的とする。
【課題を解決するための手段】
【０００９】
上記の目的を達成するために、本発明に係る第１の観点の受信装置は、デジタル放送を受信する受信装置であって、
ネットワーク経由で取得したペアレンタルコントロール機能を有するダウンロードアプリケーション及び当該受信装置に内蔵された内蔵アプリケーションが格納される記憶部、
前記ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入から所定時間経過後までの期間であって、ダウンロードアプリケーションが受信できるまでの内蔵アプリケーションによる動作中の期間においては、映像出力をオフ状態とする表示制御部、および
ペアレンタルコントロール機能を設定したＰＩＮ情報が前記ＰＩＮ情報保持部に保持されている場合、電源投入から所定時間経過後までにおいて、ダウンロードアプリケーションが受信できないとき、前記ＰＩＮ情報保持部に保持されていたＰＩＮ情報の設定を解除するＰＩＮ情報設定解除部、
を備えている。
このように構成された第１の観点の受信装置は、ダウンロードアプリケーションのサービスが停止している場合、またはダウンロードアプリケーションのサービスがなされていない地域に受信装置を移動した場合においても、電源がオン状態となった後においても、ダウンロードアプリケーションが起動されずに、いつまでも映像が表示されないという問題が解決されている。本発明の受信装置においては、ペアレンタルコントロール機能を考慮しつつ簡便な方法でユーザの利便性を損なうことなく、確実に所望のアプリケーションが実行される。
【００１０】
本発明に係る第２の観点の受信装置は、前記の第１の観点の受信装置が、
ペアレンタルコントロール機能を設定したＰＩＮ情報が前記ＰＩＮ情報保持部に保持されている場合、電源投入から所定時間経過後までにおいて、ダウンロードアプリケーションが受信できないとき、
前記表示制御部は、ＰＩＮ情報を入力するための画面を表示し、
前記ＰＩＮ情報設定解除部は、前記ＰＩＮ情報保持部に保持されていたＰＩＮ情報と同じＰＩＮ情報が入力されたとき、前記ＰＩＮ情報保持部に保持されていたＰＩＮ情報の設定を解除するよう構成してもよい。
【００１１】
本発明に係る第３の観点の受信装置は、デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、および
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するモード選択部、を備えている。
このように構成された第３の観点の受信装置は、いずれのモードを選択しても、ペアレンタルコントロール機能を考慮しつつ、確実に所望のアプリケーションを実行することが可能となる。
【００１２】
本発明に係る第４の観点の受信装置は、前記の第３の観点の受信装置がダウンロードアプリケーションのペアレンタルコントロール機能を設定するためのＰＩＮ情報を保持するＰＩＮ情報保持部を備え、
前記モード選択部は、第２のモードが選択された場合、ＰＩＮ情報を入力するための画面を表示し、前記ＰＩＮ情報保持部に保持されていたＰＩＮ情報と同じＰＩＮ情報が入力されたとき、第２のモードが設定されるよう構成してもよい。
【００１３】
本発明に係る第５の観点の受信装置は、デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、
ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入からダウンロードアプリケーションが受信できるまでの内蔵アプリケーションによる動作中の期間においては、映像出力をオフ状態とする表示制御部、
ケーブルカードが着脱可能であり、前記ケーブルカードの記憶領域の内容を読み取るケーブルカードインターフェース部、および
前記ケーブルカードの認証動作を行うケーブルカード管理部、を備え、
前記ケーブルカード管理部は、認証動作にてケーブルカードが前回認証したケーブルカードと異なるケーブルカードと判断した場合には、前記ＰＩＮ情報保持部に保持されたＰＩＮ情報の設定を解除するよう構成されている。
このように構成された第５の観点の受信装置は、ケーブルカードの使用時において、ペアレンタルコントロール機能を考慮しつつ、確実に所望のアプリケーションを実行することができる。
【００１４】
本発明に係る第６の観点の受信プログラムは、デジタル放送を受信する受信装置に格納された受信プログラムであって、
電源投入動作において、ネットワーク経由で取得したダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、および
前記ＰＩＮ情報が設定されており、電源投入から所定時間経過後までの期間において、ダウンロードアプリケーションを受信しないとき、前記ＰＩＮ情報の設定の解除を行う機能、をコンピュータに実現させている。
このように構成された第６の観点の受信プログラムは、ダウンロードアプリケーションのサービスが停止している場合、またはダウンロードアプリケーションのサービスがなされていない地域に受信装置を移動した場合においても、電源がオン状態となった後においても、ダウンロードアプリケーションが起動されずに、いつまでも映像が表示されないという問題が解決されている。本発明の受信プルグラムによれば、ペアレンタルコントロール機能を考慮しつつ簡便な方法でユーザの利便性を損なうことなく、確実に所望のアプリケーションが実行される。
【００１５】
本発明に係る第７の観点の受信プログラムは、前記の第６の観点のＰＩＮ情報の設定の解除を行う機能が、
ＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば、ＰＩＮ情報の解除を行い、映像出力をオン状態とする機能、および
入力されたＰＩＮ情報が予め設定されていたＰＩＮ情報と異なる場合には、ＰＩＮ情報を入力するための画面表示を再度行う機能、を含む構成でもよい。
【００１６】
本発明に係る第８の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するための画面表示を行う機能、
前記第１のモードが選択されたとき、前記第１のモードを実行する機能、
前記第２のモードが選択されたとき、ダウンロードアプリケーションのペアレンタルコントロール機能を設定するためのＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば前記第２のモードを実行する機能、および
入力されたＰＩＮ情報が予め設定されていたＰＩＮ情報と異なる場合には、モードを選択するための画面表示を再度行う機能、をコンピュータに実現させている。
このように構成された本発明に係る第８の観点の受信プルグラムによれば、いずれのモードを選択してもペアレンタルコントロール機能を考慮しつつ簡便な方法でユーザの利便性を損なうことなく、確実に所望のアプリケーションが実行される。
【００１７】
本発明に係る第９の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを管理する機能、
電源投入動作において、前記第１のモードが管理されているとき、ダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、
前記ＰＩＮ情報が設定されており、電源投入から所定時間経過後までの期間において、ダウンロードアプリケーションを受信しないとき、前記ＰＩＮ情報の設定の解除を行う機能、および
電源投入動作において、前記第２のモードが管理されているとき、内蔵アプリケーションを実行する機能、をコンピュータに実現させている。
このように構成された本発明に係る第９の観点の受信プルグラムによれば、いずれのモードを選択してもペアレンタルコントロール機能を考慮しつつ簡便な方法でユーザの利便性を損なうことなく、確実に所望のアプリケーションが実行される。
【００１８】
本発明に係る第１０の観点の受信プログラムは、前記の第９の観点の受信装置の電源投入動作において、前記第１のモードが管理されている場合であって、ダウンロードアプリケーションのＰＩＮ情報が設定されていないとき、
電源投入から所定時間経過後までの期間において、ダウンロードアプリケーションを受信したとき、当該ダウンロードアプリケーションを実行する機能、および
電源投入から所定時間経過後までの期間において、ダウンロードアプリケーションを受信しないとき、内蔵アプリケーションを実行する機能、を含む構成でもよい。
【００１９】
本発明に係る第１１の観点の受信プログラムは、デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
当該受信装置において管理された認証キーと着脱可能なカードに記憶された認証キーと交換して、互いの認証キーが一致しているか否かを検出する機能、
当該受信装置の認証キーと前記カードの認証キーが一致していない場合、当該受信装置の証明書と前記カードの証明書を交換して互いの認証を行う機能、
当該受信装置と前記カードのそれぞれの証明書の内容に基づいて新たな認証キーを生成する機能、
新たに生成された認証キーを当該受信装置と前記カードのそれぞれの記憶領域に記録する機能、
新たに生成された認証キーが当該受信装置と前記カードに記録された後、ダウンロードアプリケーションのペアレンタルコントロール機能を設定するためのＰＩＮ情報の設定を解除する機能、および
当該受信装置の認証キーと前記カードの認証キーが一致している場合、および前記ＰＩＮ情報の設定が解除された場合、当該受信装置におけるカード認証動作を終了する機能、をコンピュータに実現させている。
このように構成された第１１の観点の受信プログラムによれば、ケーブルカードの使用時において、ペアレンタルコントロール機能を考慮しつつ、確実に所望のアプリケーションを実行することができる。
【００２０】
発明の新規な特徴は添付の請求の範囲に特に記載したものに他ならないが、構成及び内容の双方に関して本発明は、他の目的や特徴と合わせて図面と共に以下の詳細な説明を読むことにより、より良く理解され評価されるであろう。
【発明の効果】
【００２１】
本発明によれば、ダウンロードアプリケーション、例えばＯＣＡＰアプリケーションのＰＩＮ情報が設定されている受信装置において、ダウンロードアプリケーションのサービスが停止している場合、またはダウンロードアプリケーションのサービスがなされていない地域に移動した場合、電源が投入された後においてもダウンロードアプリケーションが起動されないため、いつまでも映像が表示されないという問題を、ペアレンタルコントロール機能を考慮しつつ、簡単な方法でユーザの利便性を損なうことなく解決することができる。
【図面の簡単な説明】
【００２２】
【図１】本発明に係る実施の形態１のケーブル放送受信装置のハードウェア構成を示すブロック図
【図２】実施の形態１のケーブル放送受信装置において、合成部における各プレーンの合成形態と出力形態を示す模式図
【図３Ａ】実施の形態１のケーブル放送受信装置において、ディスプレイに合成されたプレーンを出力した場合における視聴者への見え方を示す模式図
【図３Ｂ】実施の形態１のケーブル放送受信装置において、外部録画機器に合成されたプレーンを出力した場合における視聴者への見え方を示す模式図
【図４】実施の形態１のケーブル放送受信装置において、合成部におけるＯＣＡＰアプリケーション専用プレーンを用いた場合の他のプレーンとの合成形態と出力形態を示す模式図
【図５Ａ】図４において合成部からディスプレイへ、ＯＣＡＰアプリケーション専用プレーンを視聴者に最も近い最上面の位置で出力した場合の各プレーンの配置関係を示す模式図
【図５Ｂ】図４において合成部から外部録画機器へ出力した場合の各プレーンの配置関係を示す模式図
【図６】実施の形態１のケーブル放送受信装置の機能的構成を示すブロック図
【図７】実施の形態１のケーブル放送受信装置における、電源投入動作時（オン動作時）の処理を示すフローチャート
【図８】実施の形態１のケーブル放送受信装置における、ＰＩＮ情報の設定解除処理の動作の処理を示すフローチャート
【図９】本発明に係る実施の形態２のケーブル放送受信装置に規定されているサービスモードを示す図
【図１０】実施の形態２のケーブル放送受信装置において、サービスモードの選択動作を示すフローチャート
【図１１】実施の形態２のケーブル放送受信装置における、電源投入時の動作を示すフローチャート
【図１２】実施の形態２のケーブル放送受信装置における、電源投入時の動作を示すフローチャート
【図１３】本発明に係る実施の形態３のケーブル放送受信装置における、ケーブルカードが挿入されたときの動作を示すフローチャート
【発明を実施するための形態】
【００２３】
以下、本発明に係る受信装置および受信装置に格納された受信プログラムの好適な実施の形態を添付の図面を参照しつつ説明する。なお、本発明は、以下の実施の形態において説明する構成のみに限定されるものではなく、同様の技術的思想に基づく構成が含まれる。
【００２４】
（実施の形態１）
本発明に係る実施の形態１の受信装置はケーブル放送用の受信装置であり、デジタル放送の受信装置である。図１は、本発明に係る実施の形態１のケーブル放送受信装置１００のハードウェア構成を示すブロック図である。ケーブル放送受信装置１００は、ケーブル２５０を介して、ケーブル放送局に設置されたケーブル放送を提供する局内サーバ２００と接続されている。ケーブル放送受信装置１００は、特定のケーブル放送局からケーブル放送を受信するためのケーブルカード３００が挿入されて、所定の処理を行うことによりケーブル放送を受信できるよう構成されている。また、ケーブル放送受信装置１００は、ユーザが操作するリモコン４００を介してユーザ操作情報（キーコード）を受信し、受信したキーコードに応じた処理を実行する。更に、ケーブル放送受信装置１００は、ＤＶＤ等の外部録画機器へ映像音声信号を出力するための出力系統（出力）および、ケーブル放送局からの情報以外に複数の映像音声情報を入力できるように映像音声信号の入力系統（入力１、入力２、入力３）を有する。ここで、実施の形態１のケーブル放送受信装置１００は、ＯＣＡＰ規格に準拠したケーブル放送が受信可能な装置である。なお、図１のブロック図で示すハードウェア構成において、音声信号を処理するための構成は説明を簡略化するために省略している。
【００２５】
ケーブル放送受信装置１００は、ＣＰＵ１０と、ディスプレイ１１と、合成部１２と、プレーン管理部１３と、ＡＶデコーダ１４と、ＴＤデコーダ１５と、チューナ１６と、ケーブルカードインターフェース（以下、ケーブルカードＩ／Ｆと略称）１７と、リモコン受信部１８と、ハードディスクドライブ（ＨＤＤ）１９と、メモリ２０と、キャッシュメモリ２１と、セレクタ２２及び処理回路２３ａ〜２３ｃと、有して構成されている。
【００２６】
ＣＰＵ１０は、ケーブル放送受信装置１００の動作を制御するコントローラである。ＣＰＵ１０には、データの記憶手段としてＨＤＤ１９と、揮発性記憶手段であるメモリ２０及び不揮発性記憶手段であるキャッシュメモリ２１が接続されている。また、ＣＰＵ１０は、リモコン受信部１８から入力されたキーコードに基づき、ケーブル放送及び入力１〜３のうちのいずれかから入力された情報の１つをディスプレイ１１に表示させる。
【００２７】
ディスプレイ１１は、合成部１２から出力された映像を表示する。合成部１２は、プレーン管理部１３から出力された複数のプレーンを合成し、ディスプレイ１１への出力又は外部録画機器への出力を行う。ここで、プレーンとは、メモリ領域に記憶された１画面分の画素データ（Pixel Map)である。
【００２８】
図２は、合成部１２において合成される各プレーンの合成形態と出力形態を示す模式図である。図２に示すように、合成部１２は、プレーン管理部１３から出力されたスチルプレーン、ビデオプレーン、内蔵アプリケーション専用プレーンおよびＯＳＤ（On Screen Display）プレーンの各プレーンを合成し、ディスプレイ１１又は外部録画機器へ出力する。なお、スチルプレーンとは、ＯＣＡＰアプリケーションが背景画として用いる画像に関するメモリ領域に記憶された１画面分の静止画像の画素データ（Pixel Map)である。ビデオプレーンとは、映像に関するメモリ領域に記憶された１画面分の画素データ（Pixel Map)である。内蔵アプリケーション専用プレーンとは、内蔵アプリケーションのＯＳＤ情報に関するメモリ領域に記憶された１画面分の画素データ（Pixel Map)である。ＯＳＤプレーンとは、ＯＣＡＰアプリケーションが使用するＯＳＤ情報に関するメモリ領域に記憶された１画面分の画素データ（Pixel Map)である。
なお、合成部１２は、ＣＰＵ１０の制御に基づき、入力１〜３のうちのいずれか情報がセレクタ２２により選別されて入力され、ディスプレイ１１に出力する機能も有する。
【００２９】
図３Ａおよび図３Ｂは、合成部１２において合成された各プレーンのユーザである視聴者への見え方を示す模式図であり、各図において、積層された各プレーンを上方から視聴者が見ている状態を示している。図３Ａが合成部１２からディスプレイ１１に合成されたプレーンを出力した場合を示しており、図３Ｂが合成部１２から外部録画機器に合成されたプレーンを出力した場合を示している。
【００３０】
図３Ａに示すように、合成部１２がディスプレイ１１へ合成されたプレーンを出力する場合、スチルプレーン、ビデオプレーン、内蔵アプリケーション専用プレーンおよびＯＳＤプレーンを、内蔵アプリケーションおよびＯＣＡＰアプリケーションの動作状態に応じてそれぞれを合成して出力する。また、図３Ｂに示すように、合成部１２が外部録画機器へ合成されたプレーンを出力する場合、スチルプレーン、ビデオプレーンおよびＯＳＤプレーンを合成して出力する。したがって、外部録画機器へ出力するプレーンには内蔵アプリケーション専用プレーンが含まれない。
【００３１】
なお、合成部１２において合成されるプレーンとして、ＯＣＡＰアプリケーション専用プレーンを含む場合がある。ＯＣＡＰアプリケーション専用プレーンとは、ＯＣＡＰアプリケーションが外部録画機器へ出力したくないＯＳＤ情報に関するメモリ領域に記憶された１画面分の画素データ（Pixel Map)である。
【００３２】
図４は、合成部１２においてＯＣＡＰアプリケーション専用プレーンを用いる場合の他のプレーンとの合成形態と出力形態を示す模式図である。図４に示すように、合成部１２は、ＯＣＡＰアプリケーション専用プレーンを用いる場合、ＯＣＡＰアプリケーション専用プレーンを視聴者に最も近い最上面の位置、または内蔵アプリケーション専用プレーンとＯＳＤプレーンとの間の位置のいずれかに配置することができる。その選択は、内蔵アプリケーションおよびＯＣＡＰアプリケーションの動作状態、ＯＣＡＰアプリケーション専用プレーンの内容などに基づき決定してもよい。
【００３３】
図５Ａは、図４において合成部１２からディスプレイ１１へ、ＯＣＡＰアプリケーション専用プレーンを視聴者に最も近い最上面の位置で出力した場合における、合成された各プレーンの配置関係を示している。図５Ｂは、図４において合成部１２から外部録画機器へ出力した場合における、合成された各プレーンの配置関係を示している。図５Ａおよび図５Ｂは、各プレーンを上方から視聴者が見た場合の模式図である。したがって、外部録画機器へ出力するプレーンには内蔵アプリケーション専用プレーンおよびＯＣＡＰアプリケーション専用プレーンが含まれない。
【００３４】
上記のように、プレーン管理部１３は、スチルプレーン、ビデオプレーン、内蔵アプリケーション専用プレーン、ＯＳＤプレーンおよびＯＣＡＰアプリケーション専用プレーンを合成部１２に出力し、これらの各プレーンを管理する。
【００３５】
図１に示したように、ケーブル放送受信装置１００が有するＡＶデコーダ１４は、局内サーバ２００よりＭＰＥＧ形式等で配信された音声／映像データを復号する。ＴＤデコーダ１５は、音声／映像／データを多重化したトランスポートストリームをパケットフィルタリングで変換して、各データ単独で出力する（Demultiplexing）。チューナ１６は、局内サーバ２００よりケーブル２５０を介して配信された信号を受信する。受信された信号はケーブルカード３００でデスクランブルされＴＤデコーダ１５へ出力される。
【００３６】
ケーブルカードＩ／Ｆ１７は、ケーブルカード３００とデータの送受信を行う。リモコン受信部１８は、ユーザが操作するリモコン４００からユーザ操作情報（キーコード）を受信し、キーコードとしてＣＰＵ１０へ出力する。
【００３７】
セレクタ２２は、処理回路２３ａ〜２３ｃからの出力のうちの１つの出力を選択し、合成部１２へ出力する。処理回路２３ａ〜２３ｃは、入力系統である、例えば３つの入力（入力１、入力２、入力３）から入力されたそれぞれの映像音声信号を処理し、セレクタ２２へ出力する。
【００３８】
次に、図６を用いて、実施の形態１のケーブル放送受信装置１００の機能的構成を説明する。図６は、実施の形態１のケーブル放送受信装置１００の機能的構成を示すブロック図である。
【００３９】
図６のブロック図に示す機能的構成は、ＣＰＵ１０（図１参照）が所定のプログラムを実行することにより実現される。なお、図６においては、説明の便宜上、本発明において主要な機能を示している。図６に示されていない機能であっても、後述するケーブル放送受信装置１００の機能は、ＣＰＵ１０が所定のプログラムを実行することで実現され得る。
【００４０】
ケーブル放送受信装置１００は、内蔵アプリケーション５１ａ，５１ｂと、ＯＣＡＰアプリケーション５２ａ，５２ｂと、内蔵アプリケーション管理部５３と、ＯＣＡＰアプリケーション管理部５４と、動作モード管理部５５と、キー配送部５６と、重複機能管理部５７と、データ管理部５８と、ケーブルカード管理部５９と、ＯＣＡＰバージョン管理部６０と、ＯＣＡＰアプリケーション保持部６１と、ＯＳ６２とを有している。
【００４１】
ケーブル放送受信装置１００の内蔵アプリケーション５１ａ，５１ｂは、例えば、選局アプリケーション、ペアレンタルコントロール表示アプリケーション、設定アプリケーション等であり、これらのアプリケーションは当該ケーブル放送受信装置１００の出荷時に組み込まれているか、またはネットワーク経由若しくはＳＤカード等の記憶媒体を介してインストールされたアプリケーションである。ＯＣＡＰアプリケーション５２ａ，５２ｂは、例えば、選局アプリケーション、ペアレンタルコントロール表示アプリケーション、設定アプリケーション等であり、局内サーバ２００等からダウンロードして取得したアプリケーションである。
【００４２】
内蔵アプリケーション管理部５３は、内蔵アプリケーション５１ａ，５１ｂの起動、内蔵アプリケーション５１ａ，５１ｂのキーコードの配送制御、ＯＣＡＰアプリケーション管理部５４の起動を制御する。ＯＣＡＰアプリケーション管理部５４は、ＯＣＡＰアプリケーション５２ａ，５２ｂを実行するミドルウェアであって、ＯＣＡＰアプリケーション５２ａ，５２ｂの起動及びＯＣＡＰアプリケーション５２ａ，５２ｂのキーコードの配送制御を行う。
【００４３】
動作モード管理部５５は、ケーブル放送受信装置１００の動作モードを管理する。動作モードにはＩＤＴＶモードおよびＯＣＡＰモードがある。ＩＤＴＶモードとは内蔵アプリケーション５１ａ，５１ｂのみが動作している状態をいう。ＯＣＡＰモードとはＯＣＡＰアプリケーション５２ａ，５２ｂが更に動作している状態をいう。また、動作モード管理部５５は、内蔵アプリケーション５１ａ，５１ｂの状態を管理するとともに、ＯＣＡＰアプリケーション管理部５４から通知されたＯＣＡＰアプリケーション５２ａ，５２ｂの起動および終了を管理する。
【００４４】
キー配送部５６は、リモコン４００（図１参照）からのキーコードを内蔵アプリケーション管理部５３またはＯＣＡＰアプリケーション管理部５４へ配送する。
【００４５】
重複機能管理部５７は、予め設定された排他共有情報に基づいて内蔵アプリケーション５１ａ，５１ｂおよびＯＣＡＰアプリケーション５２ａ，５２ｂの排他／共有の判断を行う。ここで、排他共有情報とは、両アプリケーション間で実行する同様の機能に関して、機能毎にＯＣＡＰモード優先かＩＤＴＶモード優先かを記載している情報である。
【００４６】
データ管理部５８は、例えばＰＩＮ（Personal Identificaion Number）情報、ペアレンタル情報、字幕設定情報等の内蔵アプリケーション（５１ａ、５１ｂ）およびＯＣＡＰアプリケーション（５２ａ、５２ｂ）の両方のアプリケーションにおいて共有するデータを管理する。ケーブルカード管理部５９は、カード、例えばケーブルカード３００（図１参照）からの要求を受信し、管理し、実行するモジュールである。
【００４７】
ＯＣＡＰバージョン管理部６０は、ＯＣＡＰアプリケーション保持部６１で保持されているＯＣＡＰアプリケーション５２ａ，５２ｂのバージョンを管理するとともに、受信したＸＡＩＴ（Extended Application Information Table）に基づいてＯＣＡＰアプリケーション５２ａ，５２ｂのバージョンアップ処理を行う。ここで、ＸＡＩＴとは、局内サーバ２００から送信されるＯＣＡＰアプリケーション５２ａ，５２ｂの管理情報であって、少なくとも起動するＯＣＡＰアプリケーション５２ａ，５２ｂの情報として、バージョン情報、ＯＣＡＰアプリケーション５２ａ，５２ｂの格納場所（ＵＲＬ情報等）を含む。ケーブル放送受信装置１００は、局内サーバ２００から定期的にＸＡＩＴを受信している。ＯＣＡＰアプリケーション保持部６１は、ＸＡＩＴに基づいて局内サーバ２００からダウンロードしたＯＣＡＰアプリケーション５２ａ，５２ｂを保持する。ＯＳ６２は、ケーブル放送受信装置１００の全体を管理するソフトウェアである。
【００４８】
以下、本発明に係る実施の形態１のケーブル放送受信装置における動作について説明する。
【００４９】
［電源投入時における映像出力動作］
以下、上記の構成を有する実施の形態１のケーブル放送受信装置１００において電源が投入された状態（オン状態）となった後の動作について、図７および図８のフローチャートを用いて説明する。図７は電源投入動作時（オン動作時）の処理を示すフローチャートである。図８はＰＩＮ情報の設定解除処理の動作の処理を示すフローチャートである。
【００５０】
電源がオン状態になると、データ管理部５８に対して、ＯＣＡＰアプリケーションのＰＩＮ情報が設定されているか否か確認される（Ｓ１００）。ＰＩＮ情報が設定されていれば、映像出力をオフ状態とする（Ｓ１０１）。具体的には、内蔵アプリケーション専用プレーンをブラックアウトし、ＯＳＤプレーンからの映像出力のみを表示する（図３Ａ参照）。なお、ＰＩＮ情報が設定されていない場合の動作については、通常の映像出力動作であり、本願発明と直接には関係しないのでここではその説明は省略する。
【００５１】
Ｓ１０１において映像出力をオフ状態にした後、次に、ＸＡＩＴが受信できたか否かを判断する（Ｓ１０２）。前述のようにＸＡＩＴは局内サーバ２００から定期的に配信されてくるものである。ＸＡＩＴが受信されたということは、ケーブル放送受信装置１００がＯＣＡＰアプリケーションをダウンロードして動作可能なことを意味する。一方、ＸＡＩＴが受信できない場合には、Ｓ１０３において、電源投入から所定の時間（例えば１０秒）が経過したか否かを確認する。所定の時間が経過していない場合には、ＸＡＩＴが受信できたか否かを再度確認しに行く（Ｓ１０２へ移行）。電源投入から所定の時間が経過した後においてもＸＡＩＴが受信できない場合には、当該地域においてはＯＣＡＰサービスがなされていないことを意味する。このままの状態では、映像出力がオン状態とならないため、ＰＩＮ情報の設定を解除する処理を行う（Ｓ１０４）。このＰＩＮ情報の設定解除処理の動作については後述する。
【００５２】
Ｓ１０２においてＸＡＩＴが受信できたことを確認した場合には、ＯＣＡＰアプリケーションをダウンロードする（Ｓ１０５）。ＯＣＡＰアプリケーションを完全にダウンロードするまで多少時間がかかるため、ユーザへの配慮からＯＳＤプレーン上には、例えば「ＯＣＡＰ取得中」等と書き込み、ディスプレイ１１に映像出力させる。「ＯＣＡＰ取得中」の出力は、ＯＣＡＰ規格により定義された「Service Context」の取得が完了した時、ＯＳＤプレーンが不可視状態から可視状態に変更された時、ＯＣＡＰ規格により定義された「Ｘｌｅｔ」のロード完了時、「ｉｎｔＸｌｅｔ」の処理時、若しくは「ｓｔａｒｔＸｌｅｔ」の処理時に消去する。実施の形態１のケーブル放送受信装置１００は、上記のようにＯＣＡＰアプリケーションをダウンロードした後は、ＯＣＡＰアプリケーションに従い動作する。
【００５３】
以下、図７のＳ１０４において行われるＰＩＮ情報の設定解除処理の動作について図８を用いて説明する。
【００５４】
図８のＳ２００において、ディスプレイ１１にはユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ２０１）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ２０２）、ディスプレイ１１において再度ユーザにＰＩＮ情報の入力を促す画面を表示する（Ｓ２００へ移行）。
【００５５】
Ｓ２０１において、ユーザの入力したＰＩＮ情報がデータ管理部５８において保持されているＯＣＡＰアプリケーションのＰＩＮ情報と同じ場合には、データ管理部５８が保持しているＯＣＡＰアプリケーションのＰＩＮ情報を解除する（Ｓ２０３）。また、ＰＩＮ情報の解除に伴い、内蔵アプリケーション専用プレーンのブラックアウトも解除する（Ｓ２０４）。この結果、実施の形態１のケーブル放送受信装置１００においては映像が出力される。
【００５６】
なお、上記の実施の形態１の説明においては、内蔵アプリケーション専用プレーンをブラックアウトすることにより映像出力を制御したが、ビデオプレーンおよびスチルプレーンからの映像を出力させずに、ＯＳＤプレーンからの映像のみを出力して表示する方法により、ケーブル放送受信装置における映像出力を制御してもよい。
【００５７】
以上のように、実施の形態１の受信装置は、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいては、電源投入された後においてもＯＣＡＰアプリケーションが起動されないため、いつまでも映像が表示されないという問題が解決されている。以上のように、実施の形態１の受信装置は、ペアレンタルコントロール機能を考慮しつつ、簡単な方法でユーザの利便性が図られている。
【００５８】
（実施の形態２）
以下、本発明に係る実施の形態２の受信装置であるケーブル放送用の受信装置について説明する。実施の形態２のケーブル放送受信装置は、サービスモードの選択が可能な構成を有している。なお、実施の形態２のケーブル放送受信装置のハードウェア構成および基本機能構成は、前述の実施の形態１で説明した図１および図６と同様である。
【００５９】
［サービスモードの選択動作］
以下、実施の形態２のケーブル放送受信装置におけるサービスモードの選択動作について説明する。
【００６０】
サービスモードとは、ＯＣＡＰアプリケーション、内蔵アプリケーションなどアプリケーションにおけるいずれのアプリケーションの動作を実行するか、またはいずれのアプリケーションの動作を優先して実行するかの選択モードである。実施の形態２のケーブル放送受信装置では、図９に示すモード１（Autoモード)およびモード２(Legacyモード)の２つのサービスモードが規定されている。
【００６１】
実施の形態２のケーブル放送受信装置に規定されているモード１（Autoモード）は、ＯＣＡＰサービスが流れていれば、ＯＣＡＰアプリケーションをダウンロードして、このＯＣＡＰアプリケーションを実行し、ＯＣＡＰサービスが流れていなければ、内蔵アプリケーションを実行するモードである。また、モード２（Legacyモード）は、ＯＣＡＰサービスが流れているか否かに関わらずＯＣＡＰアプリケーションを受信せず、内蔵アプリケーションでのみ動作するモードである。
【００６２】
以下、図１０のフローチャートを用いて、ユーザがサービスモードを設定する際の動作について説明する。
【００６３】
ステップＳ３００においては、ディスプレイにはモード選択画面が表示される。具体的な表示画面は、図９に示したモード１（Autoモード)およびモード２(Legacyモード)のいずれかのサービスモードを、ユーザが選択可能な画面であればよい。Ｓ３０１において、ユーザの選択したサービスモードがモード１（Autoモード）かモード２（Legacyモード）かが判断される（Ｓ３０１）。ユーザの選択したサービスモードがモード１（Autoモード）であれば、データ管理部５８でモード１を設定する（Ｓ３０２）。ユーザの選択したサービスモードがモード２（Legacyモード）であれば、Ｓ３０３において、ディスプレイ１１にはユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ３０４）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ３０５）、再度ユーザにサービスモードの選択を促す画面を表示する（Ｓ３００へ移行）。ユーザの入力したＰＩＮ情報がデータ管理部５８において保持されているＯＣＡＰアプリケーションのＰＩＮ情報と同じ場合には、データ管理部５８においてモード２が設定される（Ｓ３０６）。
【００６４】
以上のサービスモードの選択動作により、ＯＣＡＰサービスが流れているか否かに関わらずＯＣＡＰアプリケーションを受信せず、内蔵アプリケーションでのみ動作するモード２（Legacyモード）をユーザが選択した場合には、ＯＣＡＰアプリケーションのＰＩＮ情報の確認を行った後、サービスモードの変更を行っている。このため、実施の形態２のケーブル放送受信装置においては、ペアレンタルコントロール機能を考慮しつつ、簡便な方法でユーザの利便性を損なうことなく、サービスモードの設定が可能となる。
【００６５】
［電源投入時における映像出力動作］
次に、上記のサービスモードの設定がなされていることを前提として、実施の形態２のケーブル放送受信装置１００の電源投入後の動作について説明する。実施の形態２のケーブル放送受信装置のハードウェア構成および基本機能構成は、前述の実施の形態１のケーブル放送受信装置において説明した図１および図６と同じであるため、同じ用語を用いて説明する。
【００６６】
実施の形態２のケーブル放送受信装置は、実施の形態１のケーブル放送受信装置において図７を用いて説明した電源投入動作時に上記で説明したサービスモードの選択動作を加えた変形例である。
【００６７】
以下、図１１および図１２を用いて、実施の形態２のケーブル放送受信装置における、電源投入時の動作（オン状態後の動作）について説明する。
【００６８】
電源がオン状態となると、データ管理部５８において管理されているサービスモードが確認される（Ｓ４００）。サービスモードがモード２（Legacyモード）である場合には、ＯＣＡＰサービスが流れているか否かに関わらずＯＣＡＰアプリケーションを受信せず、内蔵アプリケーションを実行する。なお、ＯＣＡＰアプリケーションを受信しない場合でも、ＸＡＩＴが受信できたか否かを検出し、ＸＡＩＴが受信できた場合には、例えば「ＯＣＡＰアプリケーションが受信可能です」と表示してもよい（Ｓ４０２）。前述のように、モード２（Legacyモード）を設定する場合には、ＯＣＡＰアプリケーションのＰＩＮ情報の確認を行った後、サービスモードの変更を行っているので、ペアレンタルコントロール機能を考慮しつつ、内蔵アプリケーションの実行が行われている。
【００６９】
Ｓ４００において、サービスモードがモード１（Autoモード）の場合はステップＳ４０１に移行する。
【００７０】
ステップＳ４０１でデータ管理部５８においてＯＣＡＰアプリケーションのＰＩＮ情報が設定されているか否かが確認される（Ｓ４０１）。ＰＩＮ情報が設定されていない場合には、ステップＳ５へ移行する。ステップＳ５以降の動作については図１２を用いて後述する。ＰＩＮ情報が設定されていれば、映像出力をオフ状態とする（Ｓ４０３）。具体的には、内蔵アプリケーション専用プレーンをブラックアウトし、ＯＳＤプレーンからの映像出力のみを表示する（図３Ａ参照）。次に、ＸＡＩＴが受信できたか否かを判断する（Ｓ４０４）。前述のようにＸＡＩＴは局内サーバ２００から定期的に配信されてくるものであり、ＸＡＩＴが受信されたことは、ケーブル放送受信装置１００がＯＣＡＰアプリケーションをダウンロードして動作可能なことを意味する。一方、ＸＡＩＴが受信できない場合には、Ｓ４０５にて電源投入から所定の時間（例えば１０秒）が経過したか否かが確認される。
【００７１】
所定の時間が経過していない場合には、ＸＡＩＴが受信できたか否かを再度確認しに行く（Ｓ４０４へ移行）。電源投入から所定の時間が経過後においてもＸＡＩＴが受信できない場合には、ＯＣＡＰサービスがなされていないことを意味するので、このままの状態では、映像出力がオン状態とならないため、ＰＩＮ情報の設定解除の処理を行う。具体的には、前述の実施の形態１において説明した図８のＰＩＮ情報の設定解除の処理が行われる。以下、図８を参照して説明する。
【００７２】
図８のＳ２００において、ユーザにＰＩＮ情報の入力を促す画面を表示する。ユーザの入力したＰＩＮ情報がデータ管理部５８において保持されているＯＣＡＰアプリケーションのＰＩＮ情報と同じか否かが確認される（Ｓ２０１）。ユーザの入力したＰＩＮ情報がデータ管理部５８において保持されているＯＣＡＰアプリケーションのＰＩＮ情報と異なる場合には、例えば「ＰＩＮ番号が異なります」等の表示を行い（Ｓ２０２）、ディスプレイ１１には再度ユーザにＰＩＮ情報の入力を促す画面を表示する（Ｓ２００へ移行）。
【００７３】
Ｓ２０１において、ユーザの入力したＰＩＮ情報がデータ管理部５８において保持されているＯＣＡＰアプリケーションのＰＩＮ情報と同じ場合には、データ管理部５８におけるＯＣＡＰアプリケーションのＰＩＮ情報を解除する（Ｓ２０３）。また、ＰＩＮ情報の解除に伴い、内蔵アプリケーション専用プレーンのブラックアウトも解除して、映像を出力する（Ｓ２０４）。
【００７４】
図１１に示す電源投入動作のフローチャートに戻って、Ｓ４０４においてＸＡＩＴが受信できた場合には、ＯＣＡＰアプリケーションをダウンロードする（Ｓ４０６）。ＯＣＡＰアプリケーションを完全にダウンロードするまで多少時間がかかるため、ユーザへの配慮からＯＳＤプレーン上には、例えば「ＯＣＡＰ取得中」等と書き込み、ディスプレイ１１に映像を出力する。ＯＣＡＰアプリケーションをダウンロードした後は、そのＯＣＡＰアプリケーションに従い動作する。
【００７５】
なお、Ｓ４０７においては図８のＰＩＮ情報の設定解除処理を行ったが、他の処理例としては図１０に示したユーザにサービスモードの選択動作を行わせてもよい。電源投入から所定の時間が経過後においてもＸＡＩＴが受信できない場合には、ＯＣＡＰサービスがなされていないことが明らかであるため、図８に示したＰＩＮ情報の設定解除処理の代わりに、図１０に示したサービスモードの選択動作処理を行ってもよい。このように、ユーザにあらためてサービスモードの選択を行わせることにより、ＰＩＮ情報を考慮に入れたアプリケーションの選択が行われる。
【００７６】
次に、図１２を用いて、図１１に示したステップＳ５以降の動作について説明する。
【００７７】
図１１のＳ４０１においてＯＣＡＰアプリケーションのＰＩＮ情報が設定されていないことが確認されたため、図１２のＳ５００においてＸＡＩＴが受信できたか否かが判断される。前述のようにＸＡＩＴは局内サーバ２００から定期的に配信されてくるものであり、ＸＡＩＴが受信されたことは、ケーブル放送受信装置１００がＯＣＡＰアプリケーションをダウンロードして動作可能なことを意味する。ＸＡＩＴが受信できない場合には、Ｓ５０２において電源投入（電源がＯＮ状態）から所定時間（例えば１０秒）が経過したか否かが確認される。
【００７８】
電源投入から所定の時間が経過していない場合には、ＸＡＩＴが受信できたか否かを再度確認するためＳ５００へ移行する。電源投入から所定の時間が経過後においてもＸＡＩＴが受信できない場合には、ＯＣＡＰサービスがなされていないことを意味するため、ステップＳ５０３に移行して、内蔵アプリケーションを実行する。
【００７９】
一方、Ｓ５００において、ＸＡＩＴが受信できた場合には、ＯＣＡＰアプリケーションをダウンロードして、そのＯＣＡＰアプリケーションを実行する（Ｓ５０１）。
【００８０】
なお、実施の形態２のケーブル放送受信装置において、ＰＩＮ情報が設定されている場合においては、内蔵アプリケーション専用プレーンをブラックアウトすることにより映像出力を制御した例で説明したが、ビデオプレーンおよびスチルプレーンからの映像を出力させずに、ＯＳＤプレーンからの映像のみを出力して表示する方法により、映像出力を制御してもよい。
【００８１】
以上のように、実施の形態２の受信装置においては、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいて、サービスモードの選択を行うことにより、ペアレンタルコントロール機能を考慮しつつ、簡単な方法でユーザの利便性が図って、所望のアプリケーションが確実に実行される。
【００８２】
（実施の形態３）
以下、本発明に係る実施の形態３の受信装置であるケーブル放送用の受信装置について説明する。実施の形態３のケーブル放送受信装置は、電源が投入されたとき（電源がオン状態になったとき）およびケーブルカードの挿入時にペアレンタルコントロール機能を考慮した動作が行われる構成である。なお、実施の形態３のケーブル放送受信装置のハードウェア構成および基本機能構成は、前述の実施の形態１で説明した図１および図６と同様であるため、同じ機能、構成を有するものには同じ符号を付してその説明は実施の形態１の説明を適用する。
【００８３】
［電源投入後のケーブルカード挿入時の動作］
以下、実施の形態３のケーブル放送受信装置において電源投入後のケーブルカード３００を挿入した時の動作について説明する。実施の形態３のケーブル放送受信装置においては、ケーブルカード３００の挿入時にＯＣＡＰアプリケーションのＰＩＮ情報の設定を確認して、必要な場合にはＰＩＮ情報の設定を解除する方法において特徴を有する。図１３は、ケーブルカード３００が挿入されたときの動作を示すフローチャートである。以下、図１３のフローチャートを用いて説明する。
【００８４】
ケーブルカード３００が挿入された時（Ｓ６００）、ケーブルカード管理部５９において管理された認証キーとケーブルカード３００の不揮発性記憶領域に記憶された認証キーが交換される（Ｓ６０１）。
【００８５】
Ｓ６０２において、互いの認証キーが一致していればＳ６０３のカード認証動作をスキップして終了する。
【００８６】
Ｓ６０２において、互いの認証キーが一致しない場合又は認証キーがケーブルカード管理部５９において設定されていない場合には、Ｓ６０３のカード認証動作が行われる。Ｓ６０３のカード認証動作において、先ず始めに、ケーブルカード３００とケーブル放送受信装置の互いの証明書を交換して認証を行う（Ｓ６０３１）。認証完了後、ケーブル放送受信装置とケーブルカード３００は自身の証明書と交換した相手の証明書に記載されたＩＤをもとに新たに認証キーを生成する（Ｓ６０３２）。この結果、ケーブル放送受信装置とケーブルカード３００は、お互いの認証キーが同じ値になる。ケーブルカード管理部５９が管理している不揮発性記憶領域とケーブルカード３００の不揮発性記憶領域にそれぞれ新たな認証キーを記録する（Ｓ６０３３）。更に、データ管理部５８にて設定されているＯＣＡＰアプリケーションのＰＩＮ情報の設定を解除し（Ｓ６０３４）、ケーブルカード３００の挿入時における認証キーの確認動作は終了する。
【００８７】
以上がケーブルカード３００の挿入時における認証キーの確認動作であるが、異なるケーブルカード３００が挿入された場合には、必ず異なる認証キーが生成される。また、ケーブルカード３００は、ユーザに対して、各地域のケーブルテレビオペレータを通じて配布される。また、別地域に引越しする場合には、今までのケーブルカード３００は引っ越す前の地域のケーブルテレビオペレータに返却し、引越し先のケーブルテレビオペレータを通じて新たなケーブルカード３００が再配付される。
【００８８】
このように、引越しを行った後において、最初にケーブルカード３００が挿入される場合には、必ず異なるケーブルカードが当該ケーブル放送受信装置へ挿入されることになる。したがって、実施の形態３のケーブル放送受信装置においては、引っ越し後にケーブルカードが挿入されたときには、ＯＣＡＰアプリケーションのＰＩＮ情報の設定が確実に解除される。即ち、実施の形態３の受信装置によれば、ユーザが異なるケーブルカードを挿入すれば、通常のカード認証動作に加えて、ＰＩＮ情報の設定の解除を行うように構成されている。このため、実施の形態３の受信装置においては、ＯＣＡＰアプリケーションのＰＩＮ情報が設定されている場合において、ＯＣＡＰアプリケーションのサービスが停止しているとき、またはＯＣＡＰアプリケーションのサービスがなされていない地域に移動したときにおいて、ケーブルカードを挿入すればＰＩＮ情報の設定が解除される。このため、実施の形態３のケーブル放送受信装置においては、ペアレンタルコントロール機能を考慮しつつ、簡単な方法でユーザの利便性が図られている。
【００８９】
なお、上記の各実施の形態においては、放送データの伝送媒体としてケーブルを用いた例を説明したが、本発明が適用できる伝送媒体の種類はケーブルに限定されるものではない。本発明の思想は、放送データを受信する受信装置であって、内蔵のアプリケーションとダウンロードアプリケーションの双方により機能が実現される受信装置に対して適用できる。
【００９０】
なお、各実施の形態の説明において、請求の範囲に記載したＰＩＮ情報保持部はデータ管理部５８で管理される不揮発性記憶領域に相当し、請求の範囲に記載したＰＩＮ情報設定解除部は、データ管理部５８が機能を有するものである。請求の範囲に記載した表示制御部は、ＣＰＵ１０、プレーン管理部１３においてその機能が実現される。請求の範囲に記載したモード選択部は、動作モード管理部５５が機能を有するものである。請求の範囲に記載した記憶部は、各実施の形態のケーブル放送受信装置における記憶手段を意味し、ＨＤＤ１９，メモリ２０およびキャッシュメモリ２１を含む。
【００９１】
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【産業上の利用可能性】
【００９２】
本発明は、放送データを受信する受信装置であって、内蔵アプリケーションとダウンロードアプリケーションの双方により機能が実現されるＴＶ、ＳＴＢ等の受信装置に有用である。
【手続補正２】
【補正対象書類名】特許請求の範囲
【補正対象項目名】全文
【補正方法】変更
【補正の内容】
【特許請求の範囲】
【請求項１】
デジタル放送を受信する受信装置であって、
ネットワーク経由で取得したペアレンタルコントロール機能を有するダウンロードアプリケーション及び当該受信装置に内蔵された内蔵アプリケーションが格納される記憶部、
前記ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入から所定時間経過後までの期間であって、ダウンロードアプリケーションが受信できるまでの内蔵アプリケーションによる動作中の期間においては、映像出力をオフ状態とする表示制御部、および
ペアレンタルコントロール機能を設定したＰＩＮ情報が前記ＰＩＮ情報保持部に保持されている場合、電源投入から所定時間経過後までにおいて、ダウンロードアプリケーションが受信できないとき、前記ＰＩＮ情報保持部に保持されていたＰＩＮ情報の設定を解除するＰＩＮ情報設定解除部、
を備えた受信装置。
【請求項２】
ペアレンタルコントロール機能を設定したＰＩＮ情報が前記ＰＩＮ情報保持部に保持されている場合、電源投入から所定時間経過後までにおいて、ダウンロードアプリケーションが受信できないとき、
前記表示制御部は、ＰＩＮ情報を入力するための画面を表示し、
前記ＰＩＮ情報設定解除部は、前記ＰＩＮ情報保持部に保持されていたＰＩＮ情報と同じＰＩＮ情報が入力されたとき、前記ＰＩＮ情報保持部に保持されていたＰＩＮ情報の設定を解除する請求項１に記載の受信装置。
【請求項３】
デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、および
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するモード選択部、
を備えた受信装置。
【請求項４】
ダウンロードアプリケーションのペアレンタルコントロール機能を設定するためのＰＩＮ情報を保持するＰＩＮ情報保持部を備え、
前記モード選択部は、第２のモードが選択された場合、ＰＩＮ情報を入力するための画面を表示し、前記ＰＩＮ情報保持部に保持されていたＰＩＮ情報と同じＰＩＮ情報が入力されたとき、第２のモードが設定されるよう構成された請求項３に記載の受信装置。
【請求項５】
デジタル放送を受信する受信装置であって、
ネットワーク経由で取得したペアレンタルコントロール機能を有するダウンロードアプリケーションおよび当該受信装置に内蔵された内蔵アプリケーションが格納される記憶部、
ダウンロードアプリケーションのペアレンタルコントロール機能を設定するためのＰＩＮ情報を保持するＰＩＮ情報保持部、
ペアレンタルコントロール機能を設定したＰＩＮ情報が前記ＰＩＮ情報保持部に保持されている場合、電源投入からダウンロードアプリケーションが受信できるまでの内蔵アプリケーションによる動作中の期間においては、映像出力をオフ状態とする表示制御部、
ケーブルカードが着脱可能であり、前記ケーブルカードの記憶領域の内容を読み取るケーブルカードインターフェース部、および
前記ケーブルカードの認証動作を行うケーブルカード管理部、を備え、
前記ケーブルカード管理部は、認証動作にてケーブルカードが前回認証したケーブルカードと異なるケーブルカードと判断した場合には、前記ＰＩＮ情報保持部に保持されたＰＩＮ情報の設定を解除する受信装置。
【請求項６】
デジタル放送を受信する受信装置に格納された受信プログラムであって、
電源投入動作において、ネットワーク経由で取得したダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、および
前記ＰＩＮ情報が設定されており、電源投入から所定時間経過後までの期間において、ダウンロードアプリケーションを受信しないとき、前記ＰＩＮ情報の設定の解除を行う機能、
をコンピュータに実現させるための受信プログラム。
【請求項７】
ＰＩＮ情報の設定の解除を行う機能は、
ＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば、ＰＩＮ情報の解除を行い、映像出力をオン状態とする機能、および
入力されたＰＩＮ情報が予め設定されていたＰＩＮ情報と異なる場合には、ＰＩＮ情報を入力するための画面表示を再度行う機能、を含む請求項６に記載の受信プログラム。
【請求項８】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを選択するための画面表示を行う機能、
前記第１のモードが選択されたとき、前記第１のモードを実行する機能、
前記第２のモードが選択されたとき、ダウンロードアプリケーションのペアレンタルコントロール機能を設定するためのＰＩＮ情報を入力するための画面表示を行う機能、
入力されたＰＩＮ情報が予め設定されていたＰＩＮ情報と同じか否かを確認する機能、
入力されたＰＩＮ情報が予め設定されていたＰＩＮ情報と同じであれば前記第２のモードを実行する機能、および
入力されたＰＩＮ情報が予め設定されていたＰＩＮ情報と異なる場合には、モードを選択するための画面表示を再度行う機能、
をコンピュータに実現させるための受信プログラム。
【請求項９】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
ダウンロードアプリケーションが受信できる場合にはダウンロードアプリケーションを受信して実行し、ダウンロードアプリケーションが受信できない場合には内蔵アプリケーションを実行する第１のモードと、ダウンロードアプリケーションが受信できるか否かにかかわらず内蔵アプリケーションを実行する第２のモードと、のいずれかのモードを管理する機能、
電源投入動作において、前記第１のモードが管理されているとき、ダウンロードアプリケーションのペアレンタルコントロール機能を設定するためのＰＩＮ情報の設定の有無を検出する機能、
前記ＰＩＮ情報が設定されており、電源投入から所定時間経過後までの期間であって、ダウンロードアプリケーションが受信できるまでの期間においては、映像出力をオフ状態とする機能、
前記ＰＩＮ情報が設定されており、電源投入から所定時間経過後までの期間において、ダウンロードアプリケーションを受信したとき、当該ダウンロードアプリケーションを実行する機能、
前記ＰＩＮ情報が設定されており、電源投入から所定時間経過後までの期間において、ダウンロードアプリケーションを受信しないとき、前記ＰＩＮ情報の設定の解除を行う機能、および
電源投入動作において、前記第２のモードが管理されているとき、内蔵アプリケーションを実行する機能、
をコンピュータに実現させるための受信プログラム。
【請求項１０】
電源投入動作において、前記第１のモードが管理されている場合であって、ダウンロードアプリケーションのＰＩＮ情報が設定されていないとき、
電源投入から所定時間経過後までの期間において、ダウンロードアプリケーションを受信したとき、当該ダウンロードアプリケーションを実行する機能、および
電源投入から所定時間経過後までの期間において、ダウンロードアプリケーションを受信しないとき、内蔵アプリケーションを実行する機能、
を含む請求項９に記載の受信プログラム。
【請求項１１】
デジタル放送を受信する受信装置に格納された受信プログラムであって、
ネットワーク経由で取得したペアレンタルコントロール機能を有するダウンロードアプリケーションおよび当該受信装置に内蔵された内蔵アプリケーションを記憶部に格納する機能、
当該受信装置において管理された認証キーと着脱可能なカードに記憶された認証キーと交換して、互いの認証キーが一致しているか否かを検出する機能、
当該受信装置の認証キーと前記カードの認証キーが一致していない場合、当該受信装置の証明書と前記カードの証明書を交換して互いの認証を行う機能、
当該受信装置と前記カードのそれぞれの証明書の内容に基づいて新たな認証キーを生成する機能、
新たに生成された認証キーを当該受信装置と前記カードのそれぞれの記憶領域に記録する機能、
新たに生成された認証キーが当該受信装置と前記カードに記録された後、ダウンロードアプリケーションのペアレンタルコントロール機能を設定するためのＰＩＮ情報の設定を解除する機能、および
当該受信装置の認証キーと前記カードの認証キーが一致している場合、および前記ＰＩＮ情報の設定が解除された場合、当該受信装置におけるカード認証動作を終了する機能、
をコンピュータに実現させるための受信プログラム。
【手続補正３】
【補正対象書類名】図面
【補正対象項目名】全図
【補正方法】変更
【補正の内容】
【図１】
2009019828.tif 000018
【図２】
2009019828.tif 000019
【図３Ａ】
2009019828.tif 000020
【図３Ｂ】
2009019828.tif 000021
【図４】
2009019828.tif 000022
【図５Ａ】
2009019828.tif 000023
【図５Ｂ】
2009019828.tif 000024
【図６】
2009019828.tif 000025
【図７】
2009019828.tif 000026
【図８】
2009019828.tif 000027
【図９】
2009019828.tif 000028
【図１０】
2009019828.tif 000029
【図１１】
2009019828.tif 000030
【図１２】
2009019828.tif 000031
【図１３】
2009019828.tif 000032
【国際調査報告】
2009019828.tif 000033
2009019828.tif 000034
2009019828.tif 000035
2009019828.tif 000036
2009019828.tif 000037
2009019828.tif 000038
2009019828.tif 000039
2009019828.tif 000040
2009019828.tif 000041